(57)【特許請求の範囲】
【請求項１】
接続される機器に供給される電流または電力を検出するセンサ、および、
前記センサが検出した検出値を出力するデータ出力部、を有する複数の電源接続機器と、
前記電源接続機器に対応付けて検出値を時系列に取得する通信部、
前記検出値から、それぞれの電源接続機器に接続される機器の稼働時間を取得し、該稼働時間に基づいて前記電源接続機器に接続される機器の稼働状況を判定し、前記電源接続機器への電力供給元を電圧低下補償機能を有する第１電源と電圧低下補償機能を有しない第２電源との間で切替える切替制御部、を有する情報処理装置と、を備える接続管理システム。
【請求項２】
前記情報処理装置は、
前記それぞれの電源接続機器に接続される機器の稼働率を取得する手段と、
前記それぞれの電源接続機器に接続される機器の連続稼働時間を取得する手段と、
前記第１電源から電力供給を受ける電源接続機器に接続される第１グループの機器の第１平均稼働率を取得する手段と、
前記第１グループの機器の平均連続稼働時間を取得する手段と、
前記第２電源から電力供給を受ける電源接続機器に接続される第２グループの機器の第２平均稼働率を取得する手段と、をさらに有し、
前記切替制御部は、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均連続稼働時間以上の機器の電力供給元を前記第１電源に制御し、連続稼働時間が前記平均連続稼働時間未満の機器への電力供給元を第２電源に制御する請求項１に記載の接続管理システム。
【請求項３】
前記情報処理装置は、前記電源接続機器に接続される機器への電力供給の開始を検知す
る手段をさらに有し、
前記切替制御部は、前記機器が前記電源接続機器に接続された後の所定時間が経過するまでの間は、前記機器への電力供給元を第２電源に制御する請求項２に記載の接続管理システム。
【請求項４】
前記電源接続機器に接続される機器への電力供給の遮断を検知する手段をさらに備え、
前記切替制御部は、前記遮断が検知された機器については、次に電力供給の開始が検知された後の期間に対して前記稼働率と前記連続稼働時間とを取得する請求項２または３に記載の接続管理システム。
【請求項５】
電源接続機器に対応付けて検出値を時系列に取得する通信部と、
前記検出値から、それぞれの電源接続機器に接続される機器の稼働時間を取得し、該稼働時間に基づいて前記電源接続機器に接続される機器の稼働状況を判定し、前記電源接続機器への電力供給元を電圧低下補償機能を有する第１電源と電圧低下補償機能を有しない第２電源との間で切替える切替制御部と、を有する情報処理装置。
【請求項６】
前記それぞれの電源接続機器に接続される機器の稼働率を取得する手段と、
前記それぞれの電源接続機器に接続される機器の連続稼働時間を取得する手段と、
前記第１電源から電力供給を受ける電源接続機器に接続される第１グループの機器の第１平均稼働率を取得する手段と、
前記第１グループの機器の平均連続稼働時間を取得する手段と、
前記第２電源から電力供給を受ける電源接続機器に接続される第２グループの機器の第２平均稼働率を取得する手段と、をさらに有し、
前記切替制御部は、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均連続稼働時間以上の機器の電力供給元を前記第１電源に制御し、連続稼働時間が前記平均連続稼働時間未満の機器への電力供給元を第２電源に制御する請求項５に記載の情報処理装置。
【請求項７】
コンピュータが、電源接続機器に対応付けて検出値を時系列に取得するステップと、
前記検出値から、それぞれの電源接続機器に接続される機器の稼働時間を取得し、該稼働時間に基づいて前記電源接続機器に接続される機器の稼働状況を判定し、前記電源接続機器への電力供給元を電圧低下補償機能を有する第１電源と電圧低下補償機能を有しない第２電源との間で切替える切替制御ステップと、を実行する情報処理方法。
【請求項８】
前記それぞれの電源接続機器に接続される機器の稼働率を取得するステップと、
前記それぞれの電源接続機器に接続される機器の連続稼働時間を取得するステップと、
前記第１電源から電力供給を受ける電源接続機器に接続される第１グループの機器の第１平均稼働率を取得するステップと、
前記第１グループの機器の平均連続稼働時間を取得するステップと、
前記第２電源から電力供給を受ける電源接続機器に接続される第２グループの機器の第２平均稼働率を取得するステップと、をさらに実行し、
前記切替制御ステップは、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均連続稼働時間以上の機器の電力供給元を前記第１電源に制御し、連続稼働時間が前記平均連続稼働時間未満の機器への電力供給元を第２電源に制御する請求項７に記載の情報処理方法。
【請求項９】
コンピュータに、電源接続機器に対応付けて検出値を時系列に取得するステップと、
前記検出値から、それぞれの電源接続機器に接続される機器の稼働時間を取得し、該稼働時間に基づいて前記電源接続機器に接続される機器の稼働状況を判定し、前記電源接続機器への電力供給元を電圧低下補償機能を有する第１電源と電圧低下補償機能を有しない第２電源との間で切替える切替制御ステップと、を実行させるためのプログラム。
【請求項１０】
前記それぞれの電源接続機器に接続される機器の稼働率を取得するステップと、
前記それぞれの電源接続機器に接続される機器の連続稼働時間を取得するステップと、
前記第１電源から電力供給を受ける電源接続機器に接続される第１グループの機器の第１平均稼働率を取得するステップと、
前記第１グループの機器の平均連続稼働時間を取得するステップと、
前記第２電源から電力供給を受ける電源接続機器に接続される第２グループの機器の第２平均稼働率を取得するステップと、をさらに実行させ、
前記切替制御ステップは、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均連続稼働時間以上の機器の電力供給元を前記第１電源に制御し、連続稼働時間が前記平均連続稼働時間未満の機器への電力供給元を第２電源に制御する請求項９に記載のプログラム。
【発明の詳細な説明】
【技術分野】
【０００１】
本発明は、使用電力の管理技術に関する。
【背景技術】
【０００２】
オフィス内のオフィスオートメーション（以下、ＯＡ）機器が普及したことによりオフィスでの使用電力量が増加している。そこで、例えば、コンセント単位の電力を計測し、オフィスにおける個人レベルで消費電力を管理し、削減するような取り組みもなされている。そのような消費電力管理を支援する技術の一例として、スマート電源タップを例示できる。スマート電源タップは、株式会社富士通研究所が２０１０年３月３１日にプレスリリースを発表した（下記非特許文献１参照）。
【先行技術文献】
【特許文献】
【０００３】
【特許文献１】特許第３６２１８５３号公報
【特許文献２】特開２０１０−８８１７０号公報
【特許文献３】特開２０１０−２５９２０１号公報
【特許文献４】特開２００９−２４７０４５号公報
【非特許文献】
【０００４】
【非特許文献１】"業界最小の電力センサ内蔵のスマート電源タップを開発"、［online］、２０１０年３月３１日、株式会社富士通研究所、［平成２３年１月１５日検索］、インターネット＜http://pr.fujitsu.com/jp/news/2010/03/31-3.html＞
【発明の概要】
【発明が解決しようとする課題】
【０００５】
スマート電源タップには、コンセントで例示されるプラグ接続部に流れる電流を検出するセンサが内蔵されている。したがって、例えば、プラグ接続部ごとの使用電力を検出することが可能となった。
【０００６】
例えば、オフィス等の電源設備として、瞬時停電あるいは瞬時電圧低下等を補償し、機器の誤動作、故障等の発生を低減する、いわゆる無停電電源も使用されている。しかしながら、無停電電源は一般に高価で容量が限られる。従って、瞬時停電あるいは瞬時電圧低下等に敏感な機器に限定して無停電電源に接続したいという要請がある。
【０００７】
しかしながら、使用電力を検出する電源タップ単体ではコンセントに接続された機器に対して、適切な電源環境を提供し、管理するには十分でない。例えば連続稼働するＯＡ機器に電力変動を安定化させた、高価な無停電電源の使用を割り付けたとしても、運用実態では商用電源の使用で十分に間に合う場合がある。従って、高価な無停電電源を割り付けたコンセントに不適切なＯＡ機器を接続して使用するケースも生じ得る。
【０００８】
開示の技術の課題は、機器の稼働状況に適した電源切替の管理技術を提供することにある。
【課題を解決するための手段】
【０００９】
開示の技術の一側面は、次の情報処理装置の構成によって例示される。すなわち、本情報処理装置は、接続される機器に供給される電流または電力を検出するセンサ、および、センサが検出した検出値を出力するデータ出力部、を有する複数の電源接続機器と、電源
接続機器に対応付けて検出値を時系列に取得する通信部、検出値から電源接続機器に接続される機器の稼働状況を判定し、電源接続機器への電力供給元を電圧低下補償機能を有する第１電源と電圧低下補償機能を有しない第２電源との間で切替える切替制御部、を有する。
【発明の効果】
【００１０】
本情報処理装置によれば、機器の稼働状況に適した電源切替の管理技術が提供できる。
【図面の簡単な説明】
【００１１】
【図１】ＯＡ機器のレイアウトの一例を示す図である。
【図２】電源接続機器の外観図の例である。
【図３】電源接続機器内の接続図の例である。
【図４】電源接続機器、中継装置、およびエネルギー管理サーバの信号処理に関連するハードウェアの構成を例示する図である。
【図５】ルータ、スイッチを含むオフィス内のネットワークの構成図を例示する図である。
【図６】エネルギー管理サーバの機能ブロック図を例示する図である。
【図７】電源接続機器データベースが有するセンサＩＤテーブルの構成例である。
【図８】電源接続機器データベースが有する設置エリアＩＤテーブルの構成例である。
【図９】電力値データベースの構成を例示する図である。
【図１０】接続機器データベースの構成を例示する図である。
【図１１】消費電力データベースの消費電力蓄積情報の構成を例示する図である。
【図１２】システム設定テーブルの設定情報の構成を例示する図である。
【図１３Ａ】コンセント−切替器対応テーブルの対応情報の構成を例示する図である。
【図１３Ｂ】切替器と電源接続機器の対応関係を例示する図である。
【図１４】切替器状態情報テーブルの構成を例示する図である。
【図１５】無停電電源装置許容電力情報テーブルの構成を例示する図である。
【図１６】消費電力情報テーブルの構成を例示する図である。
【図１７】コンセント情報テーブルの構成を例示する図である。
【図１８】接続先テーブル，無停電電源収容テーブル，商用電源収容テーブル，閾値テーブルの構成を例示する図である。
【図１９】本接続管理システムによる運用例を例示する図である。
【図２０】エネルギー管理サーバによる接続管理処理のフローチャートを例示する図である。
【図２１】消費電力判定処理及び電源切替制御処理の詳細を例示する図である。
【図２２】消費電力調査モードの詳細を例示する図である。
【図２３】リアルタイム処理の詳細を例示する図である。
【図２４】消費電力収集・蓄積処理の詳細を例示する図である。
【図２５】電源切替（無停電電源←→商用電源切替）処理の詳細を例示する図である。
【図２６】バッチ処理の詳細を例示する図である。
【図２７】電源切替（無停電電源←→商用電源）判定処理の詳細を例示する図である。
【発明を実施するための形態】
【００１２】
以下、図面を参照して、一実施形態に係る接続管理システムについて説明する。以下の実施形態の構成は例示であり、本接続管理システムは実施形態の構成には限定されない。
【実施例１】
【００１３】
以下、図１から図２７の図面に基づいて、実施例１に係る接続管理システムを説明する。  
【００１４】
＜システム構成＞
図１に、ＯＡ機器のレイアウトの一例を示す。図１は、例えば、オフィスの１フロアのレイアウトが例示されている。ここで、オフィスには、例えば、企業、役所、学校、商店、飲食店、各種サービス提供施設等で種々の情報を取り扱う部署の他、工場内、あるいは作業現場等で種々の事務処理等を行う部署を含む。ここで、各電源接続機器１に供給される電力は大概に２系統に分けられている。図１に例示されるように、商用電源が直接に供給される系統と、電力変動の安定化を図った無停電電源装置Ｐ１を経由して供給される系統である。無停電電源装置は、電圧低下補償機能を有する第１電源に相当する。また、商用電源が電圧低下補償機能を有しない第２電源に相当する。電圧低下補償機能とは、例えば、短時間商用電源の電圧が低下した場合でも、機器に供給する電圧を維持して、低下させない機能をいい、瞬時停電補償機能も含む。
【００１５】
２系統の電源電力は、複数の切替スイッチを含む切替器Ｓに入力され、ＯＡ機器の種別に合わせて電力出力の振り分けが行われ、電源接続機器１に供給されている。なお、オフィスの屋外から屋内に配線された商用電源は、図示しない配電盤（分電盤）を経由して配電されている。従って、切替器Ｓは配電盤に含まれる構成としてもよい。
【００１６】
図１のオフィスは、複数の電源接続機器１−１、１−２、１−３、１−４等と、それぞれの電源接続機器１−１等に接続されるＯＡ機器と、電源接続機器１−１等で検出された電力値を収集し、中継先へ中継する中継器２を含む。ここで、電源接続機器１−１等は、ＯＡ機器に電力を供給するコンセントを配置した機器である。以下、電源接続機器１−１等を総称する場合には、電源接続機器１という。コンセントがプラグ接続部の一例である。
【００１７】
なお、中継器２が電流値を収集するようにしてもよい。電源接続機器１を通じて、機器に供給される電力の電圧が特定できる場合には、電流値を電力値に換算できるからである。後述するように、以下の実施例のオフィスでは、電源接続機器１には、電流センサが内蔵され、個々のコンセントから供給される電流値を検出する。この電流値は、エネルギー管理サーバ３で電力値に変換され、データベースに格納される。ただし、電源接続機器１において、電力値を検出するようにしてもよい。例えば、電源接続機器１が電流センサとともに、電圧センサを内蔵するようにすればよい。また、電源接続機器１に電圧パラメータを設定できる機能を設け、設定された電圧パラメータにしたがって電流値を電力値に換算する処理部を設けてもよい。また、電源接続機器１において、電流値を検出し、中継器２が電流値を電力値に換算した後、エネルギー管理サーバ３に電力値を中継するようにしてもよい。この場合、中継器２には、電圧パラメータを設定できる機能を設けておけばよい。このように、機器に供給される電圧が特定できる場合には、電流値は、電力値と同様に見なすことができるため、以下の実施例では、電流と電力を同様に取り扱う。
【００１８】
さらに、図１のオフィスでは、中継器２を経由して各電源接続機器１で検出された電力の検出値を受信し、処理するエネルギー管理サーバ３と、エネルギー管理サーバ３での処理結果を基に、オフィスの使用電力を監視するための監視端末５が含まれている。エネルギー管理サーバ３が情報処理装置の一例である。なお、エネルギー管理サーバ３は、切替スイッチＳの切替制御を行い、各電源接続機器に供給される電力の振り分けを行っている。
【００１９】
図１では、１フロア分のレイアウトが例示されているが、１台のエネルギー管理サーバ
３、１台の監視端末５が、複数のフロアを管理するようにしてもよい。また、図１では、オフィスの１フロアは、３つのエリアＡ１、Ａ２、Ａ３を含む。１つのエリアには、中継器２が１台配置される。実施例１では、エリアは、中継器２が１台でカバーできる範囲とする。ただし、１フロアが３つのエリアに限定される訳ではなく、オフィスの状況、ニーズに応じて、適正なエリアを設定すればよい。
【００２０】
さらに、図１では、１台の中継器が４個の電源接続機器１に接続されているが、１台の中継器２に接続される電源接続機器１の数が４個に限定される訳ではない。なお、電源接続機器１には、パーソナルコンピュータ等の情報処理装置、電気スタンド等のＯＡ機器の他、例えば、扇風機、暖房機器等も接続される場合がある。
【００２１】
さらにまた、図１では、エネルギー管理サーバ３が、オフィス内のネットワークに接続されているが、エネルギー管理サーバ３は、例えば、インターネット上のコンピュータ群である、クラウドの一部であってもよい。
【００２２】
さらに、無停電電源装置Ｐ１に切替器Ｓおよびエネルギー管理サーバ３を内臓する構成としても良い。
【００２３】
＜ハードウェアの構成＞
図２は、電源接続機器１の外観図の例である。電源接続機器１として、例えば、スマート電源タップを例示できる。ただし、本接続管理システムにおいて、電源接続機器１がスマート電源タップに限定されるわけではなく、コンセントごとに供給される電流、あるいは、電力が検出可能なものであれば、どのようなものでもよい。
【００２４】
図２のように、電源接続機器１は、外観上、筐体と、筐体の一方の面に配列された複数のコンセントＣ１と、筐体外部の商用電源または無停電電源を筐体内の各コンセントＣ１に接続する電源ケーブルＡＣ１と、筐体内で検出された電流値を筐体外の信号ケーブルＵＢ１に接続するアダプタＵＡ１とを有している。
【００２５】
コンセントＣ１は、例えば、ＯＡ機器に接続されている電源ケーブルのプラグを装着する１対のプラグ挿入口と、プラグのアース端子を受け入れるアース端子口とを有する。筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に差し込まれたときにプラグのコンタクトに接触し、通電可能となる。
【００２６】
信号ケーブルＵＢ１は、例えば、ＵＳＢ（Universal Serial Bus）ケーブルであり、アダプタＵＡ１は、ＵＳＢコネクタを装着するアダプタである。ただし、信号ケーブルＵＢ１およびアダプタＵＡ１の種類に特に限定がある訳ではない。
【００２７】
図３に、電源接続機器１内の接続図を例示する。図３のように、電源接続機器１は、筐体内に、図２の電源ケーブルＡＣ１に接続される導電路ＡＣ２と、導電路ＡＣ２から分岐した分岐路ＡＣ３と、分岐路ＡＣ３の先端部に接続される複数のコンタクトＣＴ１とを有する。
【００２８】
コンタクトＣＴ１は、図２に示したコンセントに装着されるプラグのコンタクトと接触し、通電可能となる。さらに、電源接続機器１は、それぞれの分岐路ＡＣ３を流れる電流を検出する複数の電流センサＣＳ１を有する。図３では、分岐路ＡＣ３、コンタクトＣＴ１、電流センサＣＳ１は、４組み示されている。
【００２９】
電流センサＣＳ１は、例えば、分岐路ＡＣ３の周囲に発生する磁界を検出する磁気センサ、例えば、ホール素子を含む。例えば、分岐路ＡＣ３の周囲に、磁性体で閉磁路を形成し、磁路の一部にホール素子をはめ込むようにすればよい。
【００３０】
さらに、電源接続機器１は、電流センサＣＳ１の検出信号を読みとり、処理する信号制御部１０を有する。４つの電流センサＣＳ１の検出信号は、それぞれ信号制御部１０に入力される。信号制御部１０は、電流センサＣＳ１のそれぞれの検出値に、電流センサＣＳ１が検出する電流の供給先となるコンセントの識別情報を対応付けて、アダプタＵＡ１に出力する。したがって、アダプタＵＡ１に接続される装置は、コンセントの識別情報に対応付けて、そのコンセントで使用されている電力値を取得可能となる。
【００３１】
図４は、電源接続機器１、中継装置２、およびエネルギー管理サーバ３の信号処理に関連するハードウェアの構成を例示する図である。すなわち、図４では、ＯＡ機器に電力を供給する導電路は除外し、電源接続機器１の電流センサＣＳ１で検出される検出値を処理するシステムのハードウェア構成が例示されている。
【００３２】
電源接続機器１内の信号制御部１０は、ＣＰＵ１１、メモリ１２、通信制御部１３、電力測定プログラム１９、およびＡＤ（Analog/Digital）変換部１４を有する。このうち、ＡＤ変換部１４は、電流センサＣＳ１の検出値をアナログ信号からデジタル信号に変換し、ＣＰＵ１１に引き渡す。
【００３３】
ＣＰＵ１１は、電力測定プログラム１９を実行し、信号制御部１０の機能を提供する。すなわち、ＣＰＵ１１は、それぞれの電流センサＣＳ１での検出値を読みとる。そして、ＣＰＵ１１は、通信制御部１３を介して、検出値をアダプタＵＡ１に出力する。なお、ＣＰＵ１１が出力する検出値は、例えば、所定の順序で４つの検出値を配列したベクトルデータとすればよい。あるいは、ＣＰＵ１１は、４つの検出値に、それぞれコンセントを識別する識別情報を付与して出力してもよい。したがって、電流センサＣＳ１のそれぞれの検出値は、並び順または付与された識別情報によって、どのコンセントの検出値であるかが特定されることになる。ただし、ＣＰＵ１１は、電流センサＣＳ１での検出値を電力値に換算し、アダプタＵＡ１に出力してもよい。
【００３４】
メモリ１２は、主記憶装置とも呼ばれ、ＣＰＵ１１が処理するデータを保持する。通信制御部１３は、例えば、ＵＳＢのドライバ回路である。通信制御部１３は、ＣＰＵ１１から引き渡された信号を、例えば、アダプタＵＡ１を介して中継器２に引き渡す。なお、通信制御部１３は、ＵＳＢのドライバ回路に限定される訳ではなく、他の通信インターフェースであってもよい。電力測定プログラム１９は、例えば、ＣＰＵ１１で実行可能なバイナリプログラムであり、ＲＯＭ（Read Only Memory）に保持される。
【００３５】
中継器２は、ＣＰＵ２１と、メモリ２２と、通信制御部２３Ａ、２３Ｂと、ドライブ装置２４等を有する。ＣＰＵ２１は、ドライブ装置２４に格納され、メモリ２２に実行可能に展開された中継プログラムを実行し、中継器２の機能を提供する。すなわち、ＣＰＵ２１は、複数の電源接続装置１の信号制御部１０から、通信制御部２３Ｂを介して検出値を取得する。そして、ＣＰＵ２１は、複数の電源接続機器１から取得した検出値を配列して、所定順のベクトルとして通信制御部２３Ａからエネルギー管理サーバ３に引き渡す。ただし、中継器２は、複数の電源接続機器１から取得した検出値にそれぞれの電源接続機器１の識別情報を付与して、エネルギー管理サーバ３に引き渡すようにしてもよい。いずれにしても、エネルギー管理サーバ３は、検出値の並び順、または、検出値に付与された識別情報により、電源接続機器１、および電源接続機器１内のコンセントを区別して検出値を取得できる。
【００３６】
メモリ２２は、主記憶装置ということもできる。メモリ２２は、例えば、ＣＰＵ２１が実行する中継プログラム、あるいは、電源接続機器１の信号制御部１０から取得した検出値等を記憶する。通信制御部２３Ａは、エネルギー管理サーバ３と通信するインターフェースである。通信制御部２３Ａは、例えば、ＬＡＮ（Local Area Network）基板、あるいは、ＮＩＣ（Network Interface Card）と呼ばれる。ただし、通信制御部２３Ａは、無線ＬＡＮのインターフェース、Bluetoothのインターフェース等であってもよい。
【００３７】
通信制御部２３Ｂは、電源接続機器１の通信制御部１３と接続するためのインターフェースであり、例えば、ＵＳＢのドライバ回路である。ドライブ装置２４は、着脱可能な記憶媒体の入出力装置であり、例えば、フラッシュメモリカードの入出力装置、ＵＳＢメモリを接続するＵＳＢのアダプタ等である。ドライブ装置２４は、着脱可能な記憶媒体から中継プログラムを読み出し、メモリ２２に格納する。
【００３８】
エネルギー管理サーバ３は、ＣＰＵ３１、メモリ３２、通信制御部３３Ａ，３３Ｂ，３３Ｃ、ドライブ装置３４、ＨＤＤ（ハードディスク駆動装置）３５、表示制御部３６を有する。さらに、エネルギー管理サーバ３には、表示装置３７、入力装置３８等を接続可能である。
【００３９】
ＣＰＵ３１は、メモリ３２に実行可能に展開された管理プログラムを実行し、エネルギー管理サーバ３の機能を提供する。メモリ３２は、主記憶装置ということもできる。メモリ３２は、例えば、ＣＰＵ３１が実行する管理プログラム、あるいは、中継器２を介して取得した、各電源接続機器１の各電流センサＣＳ１の検出値等、各検出値から算出した電力値、その他の管理データ等を記憶する。
【００４０】
通信制御部３３Ａは、中継器２の通信制御部２３Ａと通信可能なインターフェースである。通信制御部３３Ｂは、無停電電源装置Ｐ１と通信可能なインターフェースである。通信制御部３３Ｃは、切替スイッチＳと通信可能なインターフェースである。通信制御部３３Ａ，３３Ｂ，３３Ｃは、通信部の一例である。ドライブ装置３４は、着脱可能な記憶媒体の入出力装置であり、例えば、フラッシュメモリカードの入出力装置、ＵＳＢメモリを接続するＵＳＢのアダプタ等である。ただし、ドライブ装置３４は、例えば、ＣＤ（Compact Disc）、ＤＶＤ（Digital Versatile Disk）、ブルーレイディスク（Blu-ray Disc）等のディスク媒体であってもよい。ドライブ装置３４は、着脱可能な記憶媒体から管理プログラムを読み出し、ＨＤＤ３５に格納する。
【００４１】
ＨＤＤ３５は、外部記憶装置ということもできる。外部記憶装置としては、ＳＳＤ（Solid State Drive）等であってもよい。ＨＤＤ３５は、ドライブ装置３４との間で、デー
タを授受する。例えば、ＨＤＤ３５は、ドライブ装置３４からインストールされる管理プログラム等を記憶する。また、ＨＤＤ３５は、管理プログラムを読み出し、メモリ３２に引き渡す。また、ＨＤＤ３５は、通信制御部３３および中継器２を介して取得された各電源接続機器１で検出された検出値、その他の管理データをメモリ３２から受け取り、不揮発性データとして保持する。表示制御部３６は、表示装置３７の制御回路を有し、ＣＰＵ３１が処理した結果のデータ等を表示装置３７に表示する。
【００４２】
表示装置３７は、例えば、液晶ディスプレイ、エレクトロルミネッセンスパネル等である。入力装置３８は、例えば、キーボード、ポインティングデバイス等を含む。ポインティングデバイスとしては、マウス、タッチパネル等を例示できる。なお、表示装置３７、入力装置３８をエネルギー管理サーバ３に接続する代わりに、図１に示した監視端末５の表示装置、および入力装置を用いて、エネルギー管理サーバ３の表示機能、入力機能を提供してもよい。
【００４３】
なお、監視端末５は、例えば、ＣＰＵ、主記憶装置、外部記憶装置、通信装置、着脱可能な記憶媒体の駆動装置等を含むコンピュータである。さらに、監視端末５は、キーボード、ポインティングデバイス等の入力装置、表示装置等を有する。監視端末５は、例えば、パーソナルコンピュータ等である。ただし、監視端末５は、携帯情報端末、携帯電話、スマートフォン、電子ブック等であってもよい。
【００４４】
また、無停電電源装置Ｐ１は、例えば、ＣＶＣＦ（Constant Voltage Constant Frequency）等の安定的に交流電力を供給可能な電源である。無停電電源装置Ｐ１は、例えば、
ＲＳ−２３２Ｃ等の通信インターフェースを備え、エネルギー管理サーバ３との間でデータ通信が可能である。データ通信には、例えば、無停電電源装置Ｐの定格出力電力に対するマージン（許容消費電力）情報が含まれる。切替器Ｓは、例えばＳＰＤＴ（Single Pole Double Throw）等の２入力１出力の複数のスイッチを含む切替器である。切替器Ｓは、例えばＵＳＢ等の通信インターフェースを備え、エネルギー管理サーバ３との間で切替信号、リードバック信号を含むデータ通信が可能である。
【００４５】
図５に、ルータ、スイッチを含むオフィス内のネットワークの構成図を例示する。すなわち、図５は、図１で例示されるオフィスでの通信機器の接続例である。
【００４６】
図５では、ルータＲ０の管理下でネットワークＮ１が形成されている。ルータＲ０は、例えば、外部のインターネットと接続する代理サーバの機能を有してもよい。すなわち、ルータＲ０は、図示しない外部のネットワークとオフィス内のネットワークＮ１とを接続するものであってもよい。
【００４７】
ネットワークＮ１には、ルータＲ１、Ｒ４、Ｒ５等が含まれる。ルータＲ１、Ｒ４、Ｒ５等は、ネットワークＮ１を複数の下位のネットワークに分割する。下位のネットワークは、サブネットと呼ぶこともできる。さらに、図２では、ルータＲ１の下位のネットワークが、ルータＲ２、Ｒ３等によって、下位のネットワークに接続されている。そして、ルータＲ２の下位のネットワークには、レイヤ２スイッチ（Ｌ２ＳＷ）ＬＳ１、ＬＳ２等が含まれている。そして、例えば、レイヤ２スイッチＬ１の下位のＬＡＮセグメントには、中継器２−１、２−２等、あるいは、情報処理装置等が接続されている。
【００４８】
なお、中継器２−１、２−２等を総称する場合には、中継器２という。また、ルータＲ１配下のルータＲ２、Ｒ３等の数、ルータＲ２配下のレイヤ２スイッチＬＳ１、ＬＳ２等の数、レイヤスイッチＬＳ１配下の中継器２−１、２−２等の数、情報処理装置の数が図５の例に限定される訳ではない。
【００４９】
レイヤ２スイッチＬＳ２の下位のＬＡＮセグメントの構成も、レイヤ２スイッチＬＳ１と同様である。ルータＲ３の下位のネットワークもルータＲ２の下位のネットワークと同様である。また、ルータＲ２等の下位にさらに、他のルータを接続してもよい。また、逆に、ルータＲ２、Ｒ３等をなくし、ルータＲ１の下位にレイヤ２スイッチＬＳ１、ＬＳ２等を接続してもよい。ルータＲ４の下位のネットワークもルータＲ１の下位のネットワークと同様である。
【００５０】
さらに、ルータＲ５の下位のネットワークには、レイヤ２スイッチＬＳ３が含まれている。そして、レイヤ２スイッチＬＳ３の下位のＬＡＮセグメントには、エネルギー管理サーバ３、監視端末５が接続されている。
【００５１】
ところで、図５のネットワークＮ１は、オフィスの家屋、ビル、建屋内で様々なレイアウトを採ることができる。例えば、ルータＲ１、ルータＲ４、ルータＲ５等を異なる階に設置し、階ごとに異なる下位ネットワークを構成してもよい。また、同一階にあるオフィ
スをさらに分割し、分割されたオフィスにルータＲ２、Ｒ３等を設置してもよい。
【００５２】
図６に、エネルギー管理サーバ３の機能ブロック図を例示する。エネルギー管理サーバ３は、電源接続機器設定部３０１、電力計測部３０２、接続機器判定部３０３、消費電力判定部３０４、電源切替制御部３０５の各機能部を有し、本接続管理システムの管理機能を提供する。以上の各機能部は、エネルギー管理サーバ３が主記憶上に実行可能に展開されたコンピュータプログラムを実行することで提供される。
【００５３】
また、エネルギー管理サーバ３は、以上の機能部が参照し、あるいは、管理するデータの格納先として、電源接続機器データベース３１１、電力値データベース３１２、接続機器データベース３１３、消費電力データベース３１４、電源切替データベース３１５、切替情報データベース３１６を有する。以上の各データベースは、例えば、エネルギー管理サーバ３の外部記憶装置、あるいは、ネットワークＮ１上のデータベース機能を提供する他のサーバの外部記憶装置等に構築される。
【００５４】
なお、上記図４、図５の構成では、電源接続機器１が中継器２を介してエネルギー管理サーバ３に接続されるシステムを例示した。しかし、本接続管理システムは、上記構成に限定される訳ではない。例えば、中継器２が、いずれかの電源接続機器１に内蔵されるようにしてもよい。中継器２を内蔵する電源接続機器（例えば、電源接続機器１Ａ）が、中継器２を内蔵しない電源接続機器１から、検出値を取得し、エネルギー管理サーバ３に中継するようにしてもよい。また、中継器２を省略して、電源接続機器１と、エネルギー管理サーバ３とをネットワークで接続するようにしてもよい。中継器２を省略する場合には、電源接続機器１の通信制御部１３は、図４と同様、例えば、ＵＳＢのドライバ回路であってもよいし、ＬＡＮ基板、ＮＩＣ、無線ＬＡＮのインターフェース、Bluetoothのイン
ターフェース等であってもよい。
【００５５】
以下、図６に示した各機能部の機能を説明する。電源接続機器設定部３０１は、本接続管理システム内に含まれるエリア、エリア内の電源接続機器１、電源接続機器１内の電流センサ等のＩＤ割付を実行し、割付済みのＩＤ、空きＩＤ等を管理する。
【００５６】
図１ですでに説明したように、本接続管理システムが管理するオフィスは、複数のエリアに分割され、各エリアには中継器２が設置される。エリアは、中継器２が設置されるという意味で、設置エリアとも呼ばれる。また、エリアのＩＤは、中継器２のＩＤともいうことができる。そこで、エリアのＩＤとして、中継器２のＩＰアドレス、ＭＡＣアドレス等を用いるようにしてもよい。また、エリアのＩＤとして、本接続管理システムが独自に管理するＩＤを付与してもよい。本接続管理システムが独自に管理するＩＤをエリアのＩＤとする場合には、エリアのＩＤと、中継器２のＩＰアドレス、あるいは、ＭＡＣアドレス等とを関連づけるアドレス関連づけテーブルを設けてもよい。
【００５７】
新規に中継器２が設置された場合には、エネルギー管理サーバ３は、入力部３８への操作を受け、コンピュータプログラムを起動し、電源接続機器設定部３０１として機能する。ただし、エネルギー管理サーバ３は、例えば、監視端末５からの操作にしたがって、コンピュータプログラムを起動し、電源接続機器設定部３０１として機能してもよい。
【００５８】
電源接続機器設定部３０１は、ユーザの操作により、表示装置３７等の画面上に、電源接続機器設定画面を表示し、設置された中継機器２に対応するエリアのＩＤ、中継器２に接続される電源接続機器１のＩＤ、電源接続機器１に含まれる電流センサのＩＤ等の設定を支援する。例えば、電源接続機器設定部３０１は、空きＩＤを検索して、ユーザに表示し、新たに設置されたエリア等のＩＤ、中継器２のＩＤ、電流センサのＩＤとして設定するように促す。電源接続機器設定部３０１は、ユーザが設定したエリア等のＩＤ、中継器
２のＩＤ、電流センサのＩＤを電源接続機器データベース３１１に保存する。電源接続機器データベース３１１は、センサＩＤテーブルと設置エリアＩＤテーブルを含む。センサＩＤテーブルは、電源接続機器１内の個々の電流センサのＩＤを定義する。また、設置エリアＩＤテーブルは、オフィスの各エリアと、エリア内の電源接続機器１との関係を定義する。
【００５９】
また、例えば、電源接続機器設定部３０１は、新たに設置された中継器２のＩＰアドレス、ＭＡＣアドレス等をネットワークＮ１上の通信により、新たに設置された中継器２から取得してもよい。そして、電源接続機器設定部３０１は、取得した中継器２のＩＰアドレス、ＭＡＣアドレス等と、ユーザが設定したエリアのＩＤとの関連づけを図示しないデータベースに保存すればよい。また、例えば、電源接続機器設定部３０１は、新たに設置された中継器２のＩＰアドレス、ＭＡＣアドレス等をエリアのＩＤとして、電源接続機器データベース３１１に設定するようにしてもよい。
【００６０】
電力計測部３０２は、中継器２と通信し、電源接続機器１内の電流センサごとの電流値を取得し、電力値に換算し、電力値データベース３１２に保存する。電流センサごとの電流値は、電源接続機器１のコンセントごとの電流値に該当する。また、電力計測部３０２は、取得したコンセントごとの電力値を加算して電源接続機器１全体で消費される総計電力値の算出を行う。電力計測部３０２は、算出した総計電力値を電力値データベース３１２に保存する。尚、総計電力値を算出する場合には、各コンセントでの電力値は、極力同一タイミングで取得することが望ましい。ただし、複数コンセント間で、検出時点に、許容範囲の誤差があってもよい。
【００６１】
接続機器判定部３０３は、接続機器データベース３１３からそれぞれの電源接続機器１のそれぞれのコンセントに接続されている機器の接続関係を読み出す。さらに、接続機器判定部３０３は、機器のうち、コンセントからＰＣに供給される電力値を基に、特にパーソナルコンピュータ（以下、ＰＣという）が接続されたコンセントを検出する。ＰＣが情報機器の一例である。例えば、接続機器判定部３０３は、それぞれのＰＣが電源ＯＦＦの状態にあるときに、ＰＣが接続されているコンセントからＰＣに供給される電力値（通電電力Ｐｉｎ）を読み出す。そして、コンセントにおいて、通電電力Ｐｉｎを超える電力を検出すると、接続機器判定部３０３は、そのコンセントに接続されているＰＣの電源がＯＮになったと判定する。
【００６２】
また、接続機器判定部３０３は、ＰＣが接続されたコンセントからＰＣに供給される電力値の代わりに、例えば、電力値がある基準値を越えたことをトリガにして、電力波形を取得するようにしてもよい。そして、ＰＣの電源ＯＮ時の電力波形を予め保存しておき、取得した電力波形と保存しておいた電力波形が所定の許容差の範囲で対応付けられたときに、ＰＣの電源がＯＮにされたと判定してもよい。保存しておいた電力波形が、電力使用判定情報の一例である。また、接続機器判定部３０３は、ＰＣが接続されたコンセントからＰＣに供給される電力を基に、ＰＣの電源ＯＦＦを検出する。また、例えば、接続機器判定部３０３は、ＰＣにユーザがログインしたか否かを、ネットワークＮ１を通じてそのＰＣに問い合わせるようにしてもよい。あるいは、ＰＣにユーザがログインしたときに、ＰＣからエネルギー管理サーバ３に通知するようにしてもよい。また、例えば、接続機器判定部３０３は、ＰＣにユーザがログアウトしたか否かを、ネットワークＮ１を通じてそのＰＣに問い合わせるようにしてもよい。あるいは、ＰＣからユーザがログアウトするときに、ＰＣからエネルギー管理サーバ３に通知するようにしてもよい。
【００６３】
消費電力判定部３０４は、機器が接続されたコンセントの消費電力情報に基づいて、機器の運用状態が稼働中なのか停止中なのかを判断する。消費電力判定部３０４は、コンセントＩＤごとに関連付けられた消費電力と収集された時刻情報と共に判断した運用状態を
消費電力蓄積情報として消費電力データベース３１４に保存する。実施例１では、消費電力判定部３０４は、電源接続機器１のコンセントに接続された機器に供給される消費電力の時系列データを取得する。そして、設定された期間に従い、取得した時系列データから、消費電力の通電電力Ｐｉｎ，稼働中の消費電力Ｐｓｔｒ，最大消費電力Ｐｍａｘを検出する。なお、消費電力判定部３０４が消費電力情報を収集・蓄積する期間は、例えば、監視端末５からの入力操作で設定できる。
【００６４】
電源切替制御部３０５は、収集・蓄積された消費電力情報から、コンセントに接続された機器の稼働率，連続稼働時間，平均稼働率，平均連続稼働時間等を算出し、電源切替データベース３１５に保存する。そして、電源切替制御部３０５は、算出結果と所定の閾値との比較により、コンセントに接続された機器の稼働状況を判定する。そして、電源切替制御部３０５は、稼働状況の判定結果から、コンセントに接続された機器を無停電電源側に接続させるか商用電源側に接続させるかを判断する。そして、電源切替制御部３０５は、切替器Ｓの切替制御を行い所定の種別電源を電源接続機器１に供給する。消費電力判定部３０４，電源切替制御部３０５が提供する機能は、図１９に示す運用例に基づいて、後に説明する。
【００６５】
＜データベースの構成＞
以下、エネルギー管理サーバ３がデータを入出力するデータベースの構成を例示する。図７は、電源接続機器データベース３１１が有するセンサＩＤテーブルの構成例であり、図８は、設置エリアＩＤテーブルの構成例である。図６に示したように、電源接続機器データベース３１１は、センサＩＤテーブルと、設置エリアＩＤテーブルとを含む。
【００６６】
このうち、センサＩＤテーブルは、電源接続機器ＩＤと、センサＩＤとを関連づける。電源接続機器ＩＤは、電源接続機器１をユニークに識別する識別情報である。また、センサＩＤは、電源接続機器１に含まれる電流センサの識別情報である。
【００６７】
設置エリアＩＤテーブルは、エリアＩＤ、エリア名、および電源接続機器ＩＤをそれぞれ関連づける。エリアＩＤは、中継器２が設置されるエリアの識別情報である。すでに述べたように、エリアには、中継器２が１台設置される。したがって、エリアＩＤは、中継器２をユニークに識別する識別情報ということができる。エリアＩＤは、中継器２のＩＰアドレス、あるいはＭＡＣアドレス等でもよい。
【００６８】
エリア名は、エリアの名称である。エリア名は、利用者、あるいは、本接続管理システムの管理者等に、エリアＩＤで特定されるエリアが、実際に人が認識するどのエリアであるかということを示す。図８の例では、エリア名として、１Ｆ、２Ｆ等のフロアの名称が例示されている。ただし、エリアは、フロアと対応して定義されるとは限らない。例えば、１つのフロアに複数のエリアが存在してもよい。また、複数のフロアをまとめて、１つのエリアとしてもよい。
【００６９】
電源接続機器ＩＤは、それぞれのエリアに設置されている電源接続機器１の識別情報である。図８の例では、例えば、エリア”１Ｆ”には、電源接続機器ＩＤが、”０１〜０３”で設定されている。ただし、設置エリアＩＤテーブルには、エリアＩＤとして、例えば、個々のエリアＩＤを列記するようにしてもよい。また、個々のエリアＩＤを個別に格納するフィールドを配列の形式で設置エリアＩＤテーブルに設けてもよい。
【００７０】
なお、本実施例では、エリアＩＤの１つとして、監視端末５のＩＤ（例えば、”Ｚ”）と、監視端末５の設置エリア（例えば、”Ｂ１Ｆ”）と、監視端末５のＩＤ（例えば、００）とが定義される。監視端末５のエリアを定義しておくのは、本接続管理システムの管理者、あるいは、本接続管理システムを利用するオフィスの管理者等に、監視端末５の位
置を認識できるようにするためである。監視端末５の位置を認識できると、中継器２、電源接続機器１、電源接続機器１から電力を供給される機器等の管理上都合がいいからである。
【００７１】
図９に、電力値データベース３１２の構成を例示する。電力値データベース３１２は、電源接続機器ＩＤと、センサＩＤと、各センサの時間帯ごとの電力値のフィールドを有する。電源接続機器ＩＤとセンサＩＤについては、すでに、電源接続機器データベース３１１において説明した。図９で電力値は、時間帯、例えば、１０分間隔の時間で格納されている。１０分間隔の場合、１０分間の平均電力値を格納すればよい。ただし、平均値の他に、最大値、最小値等を保存するようにしてもよい。また、例えば、時間帯の各始点での電力値、時間帯の中央の時刻での電力値、時間帯の終点での電力値等を保存するようにしてもよい。例えば、電流センサによる検出は、１秒間隔で実行し、平均値、最大値、最小値、時間帯始点の検出値、中央の時刻での検出値、時間帯終点での検出値等のいずれか１以上を保存するようにしてもよい。
【００７２】
ただし、電力値を格納する時間間隔は、接続管理システムが要求される管理精度、システムの規模、データベースが構築される外部記憶装置の容量等によって適正なものを選択すればよい。例えば、５分間隔で、電力値を保存してもよい。また、例えば、１秒間隔で、電力値を保存してもよい。
【００７３】
電力値の保存の仕方として、図９では、表のカラムに時間帯が特定されている。したがって、管理情報として電力値検出開始時刻、検出終了時刻、時間帯の時間幅（保存する時間間隔）を保存した上で、電力値の列をデータベースに保存すればよい。あるいは、例えば、（電力値の検出の時刻、電力値）を組みした列を保存してもよい。
【００７４】
図１０に、接続機器データベース３１３の構成を例示する。接続機器データベース３１３は、電源接続機器ＩＤ、センサＩＤ、接続機器、利用者を対応付ける。図１０で、接続機器が”ＰＣ”となっているのは、その行で定義されている電源接続機器ＩＤとセンサＩＤとで特定されるコンセントには、ＰＣが接続されることを示す。
一方、接続機器が”任意”となっているのは、その行で定義されている接続機器ＩＤとセンサＩＤとで特定されるコンセントに接続される機器には制約がないことを示す。接続機器データベース３１３は、電源接続機器と対応付けて利用者を識別する識別情報を記憶する手段の一例である。接続機器データベース３１３は、それぞれの利用者が使用する情報機器と前記情報機器に電力を供給する第１のプラグ接続部との関係を記憶する手段の一例でもある。
【００７５】
図１１に、消費電力データベース３１４の消費電力蓄積情報の構成を例示する。消費電力蓄積情報は、収集時刻、消費電力、状態の各フィールドを有する。なお、消費電力蓄積情報はコンセントＩＤ毎の履歴情報であり、消費電力データベース３１４は、コンセントＩＤにユニークに対応付けた履歴テーブルともいえる。消費電力蓄積情報のうち、収集時刻フィールドには、消費電力を検出した時刻データが格納される。消費電力フィールドには、コンセントＩＤに対応付けられた電力センサが検出した電力値が保存される。状態フィールドには、検出された消費電力に基づいて消費電力判定部３０４で判定された結果が保存される。消費電力判定部３０４では、コンセントＩＤで検出された消費電力に基づき、接続された機器の運用状態を判定する。図１１において、状態フィールドの「停止中」は、判定結果として通電状態（機器はコンセントに接続しているが、機器の電源はＯＦＦ状態）判断された運用状態である。また、「稼働中」は、判定結果として稼働状態（機器はコンセントに接続しているが、機器の電源はＯＦＦ状態）と判断された運用状態である。ただし、判断された運用状態が２段階に限定される訳ではない。
【００７６】
図１２（ａ）、（ｂ）に、切替情報データベース３１６に格納されるシステム設定テーブル３１６ａの設定情報の構成を例示する。システム設定テーブル３１６ａの設定情報は、切替器の自動制御，切替器の接続先，切替器の切替予定，最大時間，消費電力収集間隔，切替確認待ち時間，消費電力  最大値，消費電力調査モード，消費電力調査モード  調査時間，の各フィールドを有する。図１２（ｂ）に例示するように、システム設定テーブル３１６ａの設定情報は、コンセントＩＤ毎に対応付けられた設定情報である。図１２（ａ）、（ｂ）に例示されるシステム設定テーブルは、例えば接続切替管理者が管理者端末を介して設定が可能である。管理者から設定された情報は、エネルギー管理サーバ３を介してシステム設定テーブル３１６ａが有する所定のフィールドに格納される。なお、図１２（ａ）は、コンセントＩＤ００１に対応付けたシステム設定値の初期設定の例示である。以下、図１２（ａ）基づいて、システム設定情報の各フィールドを説明する。
【００７７】
切替器の自動制御フィールドには、本接続管理システムによる切替器Ｓの切替制御を自動で行うか否かを示す値が格納される。本実施例１では、切替器Ｓの切替制御を自動で行う場合では、自動制御フィールドに「する」が設定され、自動で行わない場合（例えば、管理者による手動切替等）には、自動制御フィールドに「しない」が設定される。図１２（ａ）に例示する初期設定では「する」が設定される。切替器の接続先フィールドには、接続先の電源種別情報が格納される。本実施例１では、接続先の電源種別情報には、「無停電電源装置」と「商用電源」が含まれる。例えば、機器に供給する電源電力として無停電電源が接続されている場合には「無停電電源装置」が設定され、商用電源が接続されている場合には「商用電源」が設定される。図１２（ａ）に例示する初期設定では「商用電源」が設定される。切替器の切替予定フィールドには、本接続管理システムによる接続先切替予定の電源種別情報が格納される。本実施例１では、接続先切替予定の電源種別情報には、「無停電電源装置」，「不明」，「商用電源」が含まれる。例えば、機器に供給する電源電力として無停電電源を予定されている場合には「無停電電源装置」が設定され、商用電源が予定されている場合には「商用電源」が設定される。一方、接続先が未定の状態では「不明」が設定される。図１２（ａ）に例示する初期設定では「不明」が設定される。
【００７８】
最大時間フィールドには、消費電力判定部３０４で収集・蓄積する消費電力の収集期間情報が格納される。本実施例１では、収集期間情報として最大２４時間までの期間設定を可能とする。ただし、収集期間の最大時間が２４時間に限定される訳ではない。図１２（ａ）に例示する初期設定では「２４時間」が設定される。消費電力収集間隔フィールドには、消費電力判定部３０４で収集・蓄積する消費電力のサンプリング期間情報が格納される。本実施例１では、最大時間フィールドで設定された期間を超えない範囲でのサンプリング期間が設定可能である。サンプリング期間の単位は、例えば、「秒」，「分」，「時間」での設定が可能である。図１２（ａ）に例示する初期設定では「１０分」が設定される。切替確認待ち時間フィールドには、無停電電源又は商用電源への接続切替が行われた場合の待機時間情報が格納される。本実施例１では、最大時間フィールドで設定された期間を超えない範囲での切替確認待ち時間が設定可能である。切替確認待ち時間の単位は、例えば、「秒」，「分」，「時間」での設定が可能である。図１２（ａ）に例示する初期設定では「３０分」が設定される。
【００７９】
消費電力  最大値フィールドには、消費電力判定部３０４で収集・蓄積された消費電力の最大値が格納される。図１２（ａ）に例示する初期設定では「１Ｗ」が設定される。消費電力調査モードフィールドには、消費電力調査モード実行情報が格納される。本実施例１では、消費電力調査モード実行情報として、実行する場合には「する」、実行しない場合には「しない」が設定される。図１２（ａ）に例示する初期設定では「する」が設定される。消費電力調査モード  調査時間フィールドには、消費電力調査モードで収集・蓄積する消費電力の収集期間情報が格納される。本実施例１では、収集期間情報として最大時
間フィールドで設定された期間を超えない範囲での期間設定を可能とする。図１２（ａ）に例示する初期設定では「２４時間」が設定される。
【００８０】
図１３Ａに、切替情報データベース３１６に格納されるコンセント−切替器対応テーブル３１６ｂの対応情報の構成を例示する。対応情報は、コンセントＩＤ、切替スイッチ番号の各フィールドを有する。コンセント−切替器対応テーブル３１６ｂは、コンセントＩＤにユニークに対応付された切替スイッチの識別情報テーブルともいえる。切替スイッチは、切替器Ｓを構成する複数の２入力１出力スイッチであり、一方には無停電電源が入力し、他方には商用電源が入力されている。切替スイッチ出力にはコンセントを有する電源接続機器１が接続する。従って、切替スイッチ番号フィールドには、該切替スイッチの出力が接続するコンセントＩＤとユニークに対応付けられたスイッチ番号が格納される。図１３Ａに例示する対応テーブルでは、コンセントＩＤ００１には、「００１」の番号が付与された切替スイッチが対応し、コンセントＩＤ順に切替スイッチ番号が対応している。
【００８１】
図１３Ｂに、切替器Ｓと電源接続機器１の対応関係を例示する。切替器Ｓは複数の切替スイッチを有している。各切替スイッチには、電源接続機器１が接続し、ユニークに対応付けられている。図１３Ｂにおいて、切替スイッチ番号「００１」は、コンセントＩＤがＩＤ００１の電源接続機器１に接続し、切替スイッチ番号「００２」は、コンセントＩＤがＩＤ００２の電源接続機器１に接続している。
【００８２】
図１４に、切替情報データベース３１６に格納される切替器状態情報テーブル３１６ｃの構成を例示する。切替器状態情報は、切替スイッチ番号、接続先の各フィールドを有する。切替スイッチ番号フィールドには、コンセントＩＤとユニークに対応付けられた番号が格納される。接続先フィールドには、切替スイッチの出力である電源種別情報が格納される。本実施例１では、電源種別情報として「無停電電源装置」，「商用電源」が格納される。
【００８３】
図１５に、切替情報データベース３１６に格納される無停電電源装置許容電力情報テーブル３１６ｄの構成を例示する。無停電電源装置許容電力情報は、収集時刻、許容消費電力の各フィールドを有する。収集時刻フィールドには、無停電源装置から許容消費電力情報を取得した時点の時刻情報が格納される。許容消費電力フィールドには、無停電電源装置から取得した許容消費電力が格納される。本実施例１では、収集時刻フィールドは、「ｈｈ（時間）：ｍｍ（分）：ｓｓ（秒）」の時刻情報が格納される。
【００８４】
図１６に、切替情報データベース３１６に格納される消費電力情報テーブル３１６ｅの構成を例示する。消費電力情報は、収集時刻，コンセントＩＤ，消費電力の各フィールドを有する。収集時刻フィールドには、消費電力情報を取得した時点の時刻情報が格納される。コンセントＩＤフィールドには、消費電力情報を取得したコンセント識別番号が格納される。消費電力フィールドには、取得した消費電力が格納される。
【００８５】
図１７に、電源切替データベース３１５に格納されるコンセント情報テーブル３１５ａの構成を例示する。コンセント情報テーブル３１５ａは、コンセントＩＤ毎に切替制御情報を関連付ける。コンセント情報は、コンセントＩＤ，消費接続比較値，接続状態の各フィールドを有する。消費電力フィールドはさらに、通電（Pin），稼働，最大（Pmax）の
各サブフィールドを有する。また、切替比較値フィールドも、稼働率，連続稼働時間の各サブフィールドを有する。また、接続状態フィールドも、接続先，切替予定の各フィールドを有する。コンセントＩＤフィールドには、消費電力を取得したコンセントＩＤが格納される。通電（Pin）フィールドには通電状態（コンセントが接続された状態で、機器の
電源がＯＦＦの状態）で取得された消費電力が格納される。稼働フィールドには、稼働状態で取得された消費電力が格納される。最大（Pmax）フィールドには、稼働状態で取得さ
れた消費電力の最大値が格納される。稼働率フィールドには、消費電力判定部３０４で算出する稼働率が格納される。連続稼働時間フィールドには消費電力判定部３０４で算出する連続稼働時間が格納される。接続先フィールドには、コンセントＩＤに対応付られた切替スイッチの接続先情報が格納される。本実施例１では、接続先情報として「無停電電源装置」，「商用電源」が格納される。切替予定フィールドには、電源切替制御部３０５の切替情報が格納される。本実施例１では、接続先情報として「無停電電源装置」，「商用電源」が格納される。
【００８６】
図１８に、電源切替データベース３１５に含まれる接続先テーブル３１５ｂ，無停電電源収容テーブル３１５ｃ，商用電源収容テーブル３１５ｄの構成を例示する。接続先テーブル３１５ｂ，無停電電源収容テーブル３１５ｃ，商用電源収容テーブル３１５ｄは切替情報である。
【００８７】
接続先テーブル３１５ｂは、切替時刻，切替スイッチ番号，接続先の各フィールドを有する。切替時刻フィールドには、接続先が切り替わった時刻情報が格納される。切替スイッチ番号フィールドには、切替スイッチ番号が格納される。接続先フィールドには、切替スイッチ番号に対応付けられた切替スイッチの接続先情報が格納される。本実施例１では、接続先情報として「無停電電源装置」，「商用電源」が格納される。無停電電源収容テーブル３１５ｃは、切替スイッチ番号，最大消費電力，稼働率，連続稼働時間の各フィールドを有する。切替スイッチ番号フィールドには、切替スイッチ番号が格納される。最大消費電力フィールドには切替スイッチ番号に対応付けられたコンセントで検出された最大消費電力が格納される。稼働率フィールドには、切替スイッチ番号に対応付けられたコンセントで算出された稼働率が格納される。連続稼働時間フィールドには、切替スイッチ番号に対応付けられたコンセントで算出された連続稼働時間が格納される。商用電源収容テーブル３１５ｄは、切替スイッチ番号，最大消費電力，稼働率，連続稼働時間の各フィールドを有する。切替スイッチ番号フィールドには、切替スイッチ番号が格納される。最大消費電力フィールドには切替スイッチ番号に対応付けられたコンセントで検出された最大消費電力が格納される。稼働率フィールドには、切替スイッチ番号に対応付けられたコンセントで算出された稼働率が格納される。連続稼働時間フィールドには、切替スイッチ番号に対応付けられたコンセントで算出された連続稼働時間が格納される。
【００８８】
また、図１８に、電源切替データベース３１５に格納される閾値テーブル３１５ｅの構成を例示する。閾値テーブル３１５ｅは切替閾値情報である。閾値テーブル３１５ｅは、収容グループ，平均稼働率，平均連続時間の各フィールドを有する。収容グループフィールドには、使用する電源種別ごとに割り当てられたグループ識別情報が格納される。本実施例１では、無停電電源を使用する機器グループを関連付けた「無停電電源収容（Ａグループ）」、商用電源を使用する機器グループを関連付けた「商用電源収容（Ｂグループ）」が格納される。平均稼働率フィールドには、各電源種別を使用する機器グループの平均稼働率が格納される。本実施例１では、無停電電源を使用する機器グループの平均稼働率である「ＲＡ」、商用電源を使用する機器グループの平均稼働率である「ＲＢ」が格納される。平均連続稼働時間フィールドには、各電源種別を使用する機器グループの平均連続稼働時間が格納される。本実施例１では、無停電電源を使用する機器グループの平均連続稼働時間である「ＲＡ」、商用電源を使用する機器グループの平均連続稼働時間である「ＲＢ」が格納される。
【００８９】
＜システムが提供する機能の例＞
図１９に、本接続管理システムによる運用例を例示する。図１９中のグラフは、コンセントに接続された機器に供給される電力（消費電力）の時間変化を例示している。また、各グラフ中、“ｔ”等で示された範囲は機器が稼働状態となった継続時間を例示している。
【００９０】
以下、エネルギー管理サーバ３の消費電力判定部３０４、電源切替制御部３０５が提供する機能例である。電源接続機器１を用いると、コンセント一口レベルでの消費電力の可視化が可能となる。例えば、オフィスのスタッフ個人ごとに、電源接続機器１中のコンセントの使用許可を行い、利用者個人とコンセントの関係を割り付ける。そして、個人ごとに割り当てられたコンセントでの使用電力を計測し、エネルギー管理サーバ３にて電力を管理する。
【００９１】
電源接続機器１に接続されるＯＡ機器には、電力管理上、安定化された電源でなければ機能遂行に支障をきたす機器がある。例えば、オフィス内に設置された各種ネットワーク機器（例えば、ルータ，ハブ等の中継器、データ管理サーバ、メールサーバ等の情報処理装置）は、常時、稼働しなければならないため、瞬停などの電源変動は好ましくない。従って、上述した各種ネットワーク機器には、無停電電源装置Ｐから安定化された電力を供給することで稼働時の安全性を保障している。
【００９２】
しかしながら、無停電電源を供給する電源接続機器１に誤って稼働時間の低い情報処理装置（例えば個人使用のＰＣ）が接続される可能性がある一方で、本来ならば、無停電電源の供給を受ける情報処理装置であるにもかかわらず、商用電源が供給される電源接続機器１に接続される可能性がある。本実施例では、このような電力管理上、供給される電源種別の使用目的と合致しない機器の利用を電力値の検出によって検出する技術を説明する。より具体的には、以下の機能により、機器に供給される電源種別を運用形態に合わせて自動的に切替を行い適切に管理する。以下の例では、機器が接続されるコンセントは電源接続機器１と１対１の関係を有するものとして説明する。
【００９３】
（１）消費電力の判定
エネルギー管理サーバ３は、電源接続機器１のコンセントに、定常状態での電力が供給された後に、所定限度以上に大きな供給電力の増加があった場合に、コンセントに接続された機器に稼働電力が供給されたと判定する。ここで、定常状態としては、例えば、電源接続機器１に接続された情報処理装置のような機器では、電源ＯＦＦのときにコンセントから情報処理装置に供給される第１待機電力等である。従って、情報処理装置がコンセントに接続されたときの定常状態としては、情報処理装置が電源ＯＦＦの状態ということができる。また、個人使用のＰＣ，電気スタンド等についても、定常状態は電源ＯＦＦの状態である。
【００９４】
図１９では、例えば、（ａ）〜（ｆ）のグラフで「通電ｐ１」で例示される消費電力が、情報処理装置の電源ＯＦＦ，ＰＣの電源ＯＦＦ，電気スタンドＯＦＦの状態で電源接続機器１のコンセントに接続された電力である。そして、エネルギー管理サーバ３は、例えば、このコンセントにおいて、所定限度以上に大きな供給電力の増加があった場合、コンセントに接続された機器は電源ＯＮの状態であると判断する。図１９では、例えば、（ａ）〜（ｆ）のグラフで「稼働」で例示される消費電力が、情報処理装置の電源ＯＮ，ＰＣの電源ＯＮ，電気スタンドＯＮの状態となった「稼働」時の電力である。この判断によってエネルギー管理サーバ３は、コンセントに接続された機器の「稼働」状態での消費電力を検出する。
【００９５】
（２）稼働時間等の判定
エネルギー管理サーバ３は、「稼働」状態が検出されたコンセントの消費電力を所定の期間の範囲で収集・蓄積する。ここで、消費電力を収集・蓄積する期間は、例えば、２４時間の収集期間を例示できる。なお、消費電力を収集・蓄積する期間は、接続管理システムが要求される管理精度、システムの規模、データベースが構築される外部記憶装置の容量等によって適正なものを選択することができる。
【００９６】
エネルギー管理サーバ３は、所定の時間（最大時間）内で収集・蓄積した消費電力から、次の算出式によりコンセントに接続された機器の稼働率，連続稼働時間，平均稼働率（ＲＡ），平均稼働率（ＲＢ），平均連続稼働時間を算出する。
【００９７】
＜稼働率＞
ｒ（％）＝（最大時間内の稼働時間の合計／最大時間）×１００・・・・・・・・・（数式１）
ｒ：稼働率
＜連続稼働時間＞
ｔ（時間）＝最大時間内に連続して稼働した時間の最大値・・・・・・・・・・・・・（数式２）
ｔ：連続稼働時間
＜平均稼働率＞
ＲＡ（％）＝（ｒ１＋・・・・・ｒＮ）／無停電電源が供給されるコンセント数・・・（数式３）
ＲＡ：無停電電源を使用する機器グループ（Ａグループ）の平均稼働率
ｒＮ：無停電電源を使用する機器ごとの稼働率
ＲＢ（％）＝（ｒ１＋・・・・・ｒＮ）／商用電源が供給されるコンセント数・・・・（数式４）
ＲＡ：商用電源を使用する機器グループ（Ｂグループ）の平均稼働率
ｒＮ：商用電源を使用する機器ごとの稼働率
＜平均連続稼働時間＞
ＴＡ（時間）＝（ｔ１＋・・・・・ｔＮ）／無停電電源が供給されるコンセント数・・・（数式５）
ＴＡ：無停電電源を使用する機器グループ（Ａグループ）の平均連続稼働時間
ｔＮ：無停電電源を使用する機器ごとの連続稼働時間
ＴＢ（時間）＝（ｔ１＋・・・・・ｔＮ）／無停電電源が供給されるコンセント数・・・（数式５）
ＴＢ：商用電源を使用する機器グループ（Ｂグループ）の平均連続稼働時間
ｔＮ：商用電源を使用する機器ごとの連続稼働時間
【００９８】
（３）電源切替の判定
エネルギー管理サーバ３は、（２）で算出した機器の稼働率ｒ，連続稼働時間ｔ，平均稼働率ＲＡ，ＲＢ，平均連続起動時間ＴＡ，ＴＢから、機器に供給する電源種別の判定を行い、機器の運用状態に適した電源種別を供給する。エネルギー管理サーバの電源切替について、図１９に例示する運用例に従って説明する。尚、図中においては、表中グラフ上部に示すように、消費電力の収集・蓄積を行う最大時間を２４時間に設定し、無停電源を使用するＡグループおよび商用電源を使用するＢグループのそれぞれの平均稼働率を前者は８３％、後者は３３％とした。無停電電源を使用するＡグループの平均稼働率の設定値は、約２０時間に相当し、商用電源を使用するＢグループの平均稼働率の設定値は約８時間に相当する。
【００９９】
まず、無停電電源を使用する機器グループに分類される条件として、（ａ）〜（ｄ）のケースが例示できる。ケース（ａ）は、機器の稼働状態が検出されて以降、常時、電源がＯＮの状態を維持するケースである。この場合、稼働状態の継続時間である連続稼働時間ｔ１は予め設定された最大時間を超えてしまうため、無停電電源を使用する機器グループに分類される。ケース（ｂ）は、連続稼働時間ｔは最大時間内であるが、稼働状態の継続
時間ｔはグループＡの平均稼働率ＲＡを超えるケースである。この場合も、ケース（ａ）と同様に、平均稼働率ＲＡを超えてしまうため無停電電源を使用する機器グループに分類される。ケース（ｃ）は、最大時間内に２つの連続稼働時間ｔ１，ｔ２を有するケースである。この場合、連続稼働時間ｔ１，ｔ２の合計時間が平均稼働率ＲＡ以上であれば、無停電電源を使用する機器グループに分類される。ケース（ｄ）は、グループＡの平均稼働率ＲＡを満たさないが、平均連続稼働時間ＴＡ以上の連続稼働時間ｔ１を有するケースである。この場合、グループＡの平均連続稼働時間ＴＡ以上の継続した稼働状態であると判断できるため、無停電電源を使用する機器グループに分類される。瞬停などの電源変動を必要とする機器と判断できるからである。
【０１００】
次に、商用電源を使用する機器グループに分類される条件として、（ｅ）〜（ｆ）のケースが例示できる。ケース（ｅ）は、機器の稼働率ｒが平均稼働率ＲＢ以下であり、連続稼働時間ｔ１もグループＡの平均連続稼働時間ＴＡに満たない場合である。ケース（ｆ）は、最大時間内に複数の連続稼働時間ｔ１，・・・，ｔＮを有するケースである。複数の連続稼働時間を有する点はケース（ｄ）と共通するが、連続稼働時間の合計がグループＢの平均稼働率ＲＢ以下の場合である。ケース（ｅ）〜（ｆ）の例では、グループＢの平均稼働率ＲＢ以下であるため、商用電源を使用する機器グループに分類される。稼働率ｒが低く、連続稼働時間ｔもグループＢの平均稼働率ＲＢで算出できる稼働時間より低いため、瞬停などの電源変動を必要とする機器とは判断できないからである。
【０１０１】
＜処理フロー＞  
図２０に、エネルギー管理サーバ３による接続管理処理のフローチャートを例示する。エネルギー管理サーバ３は、主記憶装置に実行可能に展開されたコンピュータプログラムにより接続管理処理を実行する。
【０１０２】
接続管理処理を実行する前提として、エネルギー管理サーバ３は、まず、電源接続機器１およびセンサのＩＤを設定する（Ｓ１）。例えば、オフィス内に、新たな電源接続機器１が設置されたときには、システム管理者は、エネルギー管理サーバ３にアクセスし、所定の定義画面を立ち上げ、新たに設置された電源接続機器１をエネルギー管理サーバ３に登録する。例えば、４口コンセントを有する電源接続機器１に対しては、システム管理者は、１つの電源接続機器ＩＤと、４つのセンサＩＤとを設定する。設定に際して、エネルギー管理サーバ３は、未使用の電源接続機器ＩＤと、未使用のセンサＩＤを画面に表示し、ポインティングデバイス等によるシステム管理者の選択を促すようにしてもよい。エネルギー管理サーバ３は、システム管理者の指定にしたがって、電源接続機器データベース３１１のセンサＩＤテーブルに、電源接続機器ＩＤとセンサＩＤを対応付けて保存する。
【０１０３】
また、エネルギー管理サーバ３は、設置エリアのＩＤを設定する（Ｓ２）。すでに述べたように、実施例１において、設置エリアは、中継器２がカバーするエリアである。Ｓ２の処理では、設置エリアごとに、エリアＩＤと、それぞれのエリアに配置される１以上の電源接続機器１との関係が定義される。オフィス内に、新たな中継器２が設置されたときには、システム管理者は、エネルギー管理サーバ３にアクセスし、所定の定義画面を立ち上げる。そして、システム管理者は、新たに設置された中継器２がカバーするエリアのエリアＩＤ、エリア名、およびそのエリアに配置される電源接続機器１の関係をエネルギー管理サーバ３に登録する。
【０１０４】
設定に際して、エネルギー管理サーバ３は、未使用のエリアＩＤを画面に表示し、ポインティングデバイス等によるシステム管理者の選択を促すようにしてもよい。また、エネルギー管理サーバ３は、電源接続機器データベース３１１に登録済みであるが、エリアに配置していない電源接続機器の一覧を画面に表示し、ポインティングデバイス等によるシステム管理者の選択を促すようにしてもよい。また、エネルギー管理サーバ３は、エリア
名の入力をシステム管理者から受け付けるようにしてもよい。エネルギー管理サーバ３は、以上のようなシステム管理者の指定にしたがって、電源接続機器データベース３１１の設置エリアＩＤテーブルに、エリアＩＤとエリア名とそのエリアに配置される電源接続機器ＩＤとを対応付けて保存する。
【０１０５】
なお、以上のＳ１およびＳ２の処理は、エネルギー管理サーバ３の接続管理処理とは、切り離してオフラインで実行すればよい。また、Ｓ１の処理と、Ｓ２の処理とは、シーケンシャルに実行しなくてもよい。
【０１０６】
エネルギー管理サーバ３は、中継器２経由でそれぞれの電源接続機器１の電流センサから電流値を収集する（Ｓ３）。例えば、中継器２がカバーするエリア内の電源接続機器１の各電流センサから電流値を定期的に取得し、エネルギー管理サーバ３に報告するようにすればよい。報告には、例えば、電源接続機器ＩＤ、センサＩＤとともに、その報告の時点で電流センサで検出されている電流値を含めるようにすればよい。ただし、中継器２は、それぞれの電源接続機器１およびそれぞれの電流センサから取得した電流値を所定の順
で配列し、電流値ベクトルデータの形式で、エネルギー管理サーバ３に報告してもよい。エネルギー管理サーバ３は、電流値ベクトルデータの形式にしたがって、各電流センサの電流値を読みとればよい。エネルギー管理サーバ３は、収集した電流値を電力値に換算し、図９に示した形式で、電力値データベース３１２に格納すればよい。
【０１０７】
この場合、エネルギー管理サーバ３は、収集した電力値をすべて電力値データベース３１２に格納してもよい。また、エネルギー管理サーバ３は、収集した電力値のうちの一部をサンプルとして、電力値データベース３１２に格納してもよい。
【０１０８】
より具体的には、中継器２は比較的短期間、例えば、１秒間隔で電流値を取得し、エネルギー管理サーバ３に送信する。そして、エネルギー管理サーバ３は、中継器２から送信された電流値をすべて電力値に換算し、電力値データベース３１２に格納してもよい。また、エネルギー管理サーバ３は、中継器２から送信された電流値の集合から、所定期間、例えば、５分間隔でサンプル値を取得して電力値に換算し、電力値データベース３１２に格納してもよい。また、エネルギー管理サーバ３は、中継器２から送信された電流値から所定期間内の平均値、最大値、最小値、期間の始期の値、期間の終期の電力値等を求め、電力値データベース３１２に格納してもよい。
【０１０９】
次に、エネルギー管理サーバ３は、接続機器データベース３１３から、それぞれの電源接続機器１に接続される接続機器を確認する（Ｓ４）。そして、エネルギー管理サーバ３は、Ｓ３の処理で収集した電力値と、電力値が収集された電源接続機器１に接続される接続機器の関係を取得する。
【０１１０】
なお、消費される電力には、コンセントに接続された機器に接続された機器の操作、動作、処理、運動等のために消費される電力の他、機器内の二次電池等に蓄積される電力を含む。このため、「消費される電力」を「供給される電力」ともいう。
【０１１１】
次に、エネルギー管理サーバ３は、消費電力判定処理を実行する（Ｓ５）。消費電力判定処理は、コンセントに接続された機器の消費される電力に基づき、機器の運用状態が稼働中なのか停止中なのかを判定する処理である。エネルギー管理サーバ３は、消費電力判定処理において、コンセントＩＤごとに関連付けられた消費電力、消費電力を収集した時刻情報、判定した運用状態を消費電力蓄積情報として消費電力データベース３１４に保存する。保存された消費電力蓄積情報は、コンセントＩＤに対応する消費電力の時系列データとなる。そして、取得した時系列データから、設定された期間に従い、消費電力の通電電力Ｐｉｎ，稼働中の消費電力Ｐｓｔｒ，最大消費電力Ｐｍａｘを検出する。
【０１１２】
そして、エネルギー管理サーバ３は、電源切替制御処理を実行する（Ｓ６）。エネルギー管理サーバ３は、電源切替制御処理では、所定の時間（最大時間）内で収集・蓄積した消費電力から、コンセントに接続された機器の稼働率，連続稼働時間，平均稼働率（ＲＡ），平均稼働率（ＲＢ），平均連続稼働時間（ＴＡ）を算出する。エネルギー管理サーバ３は、算出した稼働率，連続稼働時間，平均稼働率（ＲＡ），平均稼働率（ＲＢ），平均連続稼働時間（ＴＡ）等を、コンセントＩＤと関連付けて電源切替データベース３１５に保存する。そして、エネルギー管理サーバ３は、電源切替データベース３１５に含まれる閾値テーブル情報に基づいて、算出した機器の稼働率ｒ，連続稼働時間ｔ，平均稼働率ＲＡ，ＲＢ，平均連続起動時間ＴＡ，ＴＢから、コンセントに接続された機器の稼働状況を判断する。そして、エネルギー管理サーバ３は、判断された稼働状況からコンセントに接続された機器が使用する電源に適した電源種別の判定を行う。そして、エネルギー管理サーバ３は、コンセントに対応付けられた番号を備える切替スイッチを制御し、判定された電源種別への電源切替を実行する。
【０１１３】
図２１〜図２７に、消費電力判定処理及び電源切替制御処理の詳細を例示する。なお、以下の説明では、無停電電源または商用電源の何れにも属さない新規の機器がコンセントに接続されたものとして処理フローの説明を行う。無停電電源または商用電源の使用決定は、切替情報データベース３１６に格納されたシステム設定値で設定される最大時間経過後に判定されるからである。
【０１１４】
まず、消費電力判定処理では、エネルギー管理サーバ３は、切替情報データベース３１６に格納されるシステム設定テーブル３１６ａの初期値を読み込み、該当するセンサＩＤのシステム設定テーブルに設定する（Ｓ５１）。該当するセンサＩＤとは、新規の機器が接続されたコンセントＩＤを指す。システム設定テーブル３１６ａの初期値は、図１２（ａ）に例示するように、切替器の自動制御は「する」，切替器の接続先は「商用電源」，切替器の切替予定は「不明」，最大時間は「２４時間」，消費電力収集間隔は「１０分」，切替確認待ち時間は「３０分」，消費電力  最大値は「１Ｗ」，消費電力調査モードは「する」，消費電力調査モード  調査時間は「２４時間」が設定される。
【０１１５】
次に、エネルギー管理サーバ３は、システム設定値が書き換えられたかを判断する（Ｓ５２）。新規の機器が接続されたコンセントＩＤのシステム設定テーブル値は、初期値が新たに設定された状態なのでシステム設定値は書き換えられていないと判断し（Ｓ５２，ｎｏ）、ステップＳ５３に移行する。一方、最大時間経過後に実行される電源切替判定を受けてシステム設定値が書き換えられていると判断された場合（Ｓ５２，ｙｅｓ）では、システム設定値を更新してステップＳ５３に移行する（Ｓ５Ｃ）。
【０１１６】
ステップＳ５３では、エネルギー管理サーバ３は、システム設定テーブルに設定された切替器の接続先情報に従って切替器を設定する。切替器の接続先の初期値は「商用電源」であるから、エネルギー管理サーバ３は、図１３に例示する、切替情報データベース３１６に格納されたコンセント−切替器対応テーブル３１６ｂの対応情報から、新規の機器が接続する切替スイッチ番号を抽出し、接続先を「商用電源」に切替える。なお、切替えた接続先情報は、切替情報データベース３１６に格納される切替器状態情報テーブル３１６ｃに反映される。エネルギー管理サーバ３は、切替情報データベース３１６に格納された切替器状態情報テーブル３１６ｃの該当する切替スイッチ番号を抽出し、接続先フィールドを更新する。
【０１１７】
次に、エネルギー管理サーバ３は、システム設定値に設定された切替器の自動制御情報を判断する（Ｓ５４）。切替器の自動制御の初期値は「する」であるから、エネルギー管理サーバ３は、Ｓ５５に移行（Ｓ５４，ｙｅｓ）する。切替器の自動制御のシステム設定
が「しない」の場合には、本消費電力判定処理及び電源切替制御処理を終了する。
【０１１８】
ステップＳ５５では、エネルギー管理サーバ３は、コンセントの挿入がされているかを判断する。エネルギー管理サーバ３は、電力値データベース３１２に格納された電力値情報から該当するコンセントＩＤの電力値を抽出し、「０」Ｗ値であればコンセントは挿入されていないと判断する。エネルギー管理サーバ３は、コンセントの挿入がされていない場合には（Ｓ５５，ｎｏ）、ステップＳ５２に戻る。一方、コンセントの挿入がされていると判断できる場合には（Ｓ５５，ｙｅｓ）、ステップＳ５６に移行する。
【０１１９】
ステップＳ５６では、エネルギー管理サーバ３は、図１４に例示する、切替情報データベース３１６に格納された切替器状態情報テーブル３１６ｃから、該当するコンセントＩＤに関連付けられた接続先情報を収集する。次に、ステップＳ５７では、エネルギー管理サーバ３は、図１５に例示する、切替情報データベース３１６に格納された無停電電源装置許容電力情報テーブル３１６ｄから、該当するコンセントＩＤに関連付けられた無停電電源装置許容電力情報を収集する。そして、ステップＳ５８に移行し、エネルギー管理サーバ３は、システム設定値情報消費電力調査モードか否かを判断する。消費電力調査モードの初期値は「する」が設定されているから、エネルギー管理サーバ３は、Ｓ５Ｄに移行（Ｓ５８，ｙｅｓ）する。消費電力調査モードの処理は、後に、図２２で詳細に説明する。消費電力調査モードの設定が「しない」の場合には（Ｓ５８，ｙｅｓ）、Ｓ５９に移行し、リアルタイム処理を実行する。リアルタイム処理は、後に、図２３で詳細を説明する。
【０１２０】
次に、エネルギー管理サーバ３は、最大時間が経過したかを判断する（Ｓ５Ａ）。最大時間は、既述したように消費電力の収集・蓄積を行う期間であり、最大時間経過後（Ｓ５５Ａ，ｙｅｓ）はステップＳ５Ｂに移行し、バッチ処理による電源切替制御処理が行われ、コンセントに接続された新規機器の電源接続先が判定される。バッチ処理は、後に、図２６で詳細に説明する。なお、バッチ処理での判定内容は、システム設定値に反映される（Ｓ５Ｃ）。エネルギー管理サーバ３は、切替情報データベース３１６に格納されたシステム設定テーブル３１６ａについて、該当するコンセントＩＤのシステム設定値を更新する。ステップＳ５Ａで最大時間が経過していない場合（Ｓ５Ａ，ｎｏ）には、エネルギー管理サーバ３は、Ｓ５２に戻り、処理を継続する。
【０１２１】
このように、消費電力判定処理と電源切替制御処理とを継続して実行することにより、人手を介することなく、コンセントに接続された機器への適切な電源供給が実現する。例えば、電源供給先が不明なネットワーク機器の換装であっても、本電源切替管理システムによれば、コンセントに新規の機器を接続するだけで、接続機器に適した電源供給先に切替えることができる。また、ネットワーク機器が接続されていた空きコンセントに不適切な機器が接続されたとしても、システム設定値で設定された最大時間経過後にはバッチ処理による電源供給先への切替が自動的に行われるため、コンセントの誤接続による不適切な電源供給を回避することができる。従って、機器の稼働状況に適した電源切替管理技術が提供できる。
【０１２２】
図２２に、消費電力調査モードの詳細を例示する。消費電力調査モードは、例えば、新規に接続されるネットワーク機器に対して所定の期間、消費電力の収集・蓄積を行い、単位時間（例えば、２４時間）内での消費電力特性の調査を行うものである。
【０１２３】
まず、エネルギー管理サーバ３は、切替情報データベース３１６に格納されるシステム設定テーブル３１６ａを読み込み、該当するセンサＩＤの切替器の接続先フィールドを「商用電源」に設定する（Ｓ５Ｄ１）。そして、エネルギー管理サーバ３は、消費電力調査モード  調査時間フィールドで設定された調査時間が経過するまで該当するコンセントＩ
Ｄの消費電力の収集・蓄積処理を実行する（Ｓ５Ｄ２〜Ｓ５Ｄ４）。なお、消費電力収集・蓄積処理について、後に、図２４に詳細を例示して説明する。
【０１２４】
エネルギー管理サーバ３は、消費電力調査モード  調査時間フィールドで設定された調査時間が経過後（Ｓ５Ｄ４，ｙｅｓ）に、収集・蓄積した消費電力の時系列データから、最大消費電力（ｐｍａｘ）を検出し、最大消費電力が無停電電源装置の許容量以上であるかを判定する（Ｓ５Ｄ５）。最大消費電力の検出は、例えば、時系列にサンプリングされた前後する消費電力データ値を相互に比較することにより検出できる。そして、エネルギー管理サーバ３は、図１５に例示する、切替情報データベース３１６に格納される無停電電源装置許容電力情報テーブル３１６ｄの許容消費電力フィールドに格納された許容電力値を閾値として検出された最大消費電力との比較を行う。比較の結果、エネルギー管理サーバ３は、最大消費電力が無停電電源装置の許容量以上である場合には（Ｓ５Ｄ５，ｎｏ）、システム設定値の切替器の切替予定フィールドに「商用電源」を設定する（Ｓ５Ｄ７）。最大消費電力が無停電電源装置の許容量未満である場合には（Ｓ５Ｄ５，ｙｅｓ）、システム設定値の切替器の切替予定フィールドに「無停電電源」を設定する（Ｓ５Ｄ６）。そして、エネルギー管理サーバ３は、管理者端末に調査結果を通知する（Ｓ５Ｄ８）。
【０１２５】
このような処理を行うことにより、電源を供給する設備環境を考慮した適切な電源切替管理が提供できる。
【０１２６】
図２３に、リアルタイム処理の詳細を例示する。リアルタイム処理は、例えば、コンセントに接続された機器の消費電力を収集・蓄積している間にコンセントが抜かれてしまった場合の電源管理処理である。コンセントが抜かれた場合、消費電力は「０」値となり、稼働状況や連続稼働時間等に影響を与えるためである。
【０１２７】
まず、エネルギー管理サーバ３は、切替情報データベース３１６に格納されるシステム設定テーブル３１６ａに設定された、消費電力収集間隔フィールドで定義されたサンプリング時刻であるかを判断する（Ｓ５９１）。サンプリング時刻でない場合（Ｓ５９１，ｎｏ）には、本処理を終了して図２１に例示する処理フローに戻る。一方、サンプリング時刻の場合（Ｓ５９１，ｙｅｓ）には、エネルギー管理サーバ３は、消費電力収集・蓄積処理を実行する（Ｓ５Ｄ３）。そして、エネルギー管理サーバ３は、収集・蓄積された消費電力からコンセントが抜かれたか否かを判断する（Ｓ５９２）。コンセントが抜かれたと判断する場合には（Ｓ５９２，ｙｅｓ）、これまでに蓄積してきた消費電力の履歴情報をリセットする（Ｓ５９３）。そしてエネルギー管理サーバ３は、切替器の接続先をシステム設定値に格納された接続先に戻し（Ｓ５９５）、本処理を終了して図２１に例示する処理フローに戻る。一方、エネルギー管理サーバ３は、コンセントが抜かれていないと判断する場合には（Ｓ５９２，ｎｏ）、ステップＳ５９４に移行し、電源切替（無停電電源←→商用電源切替）処理を行う。
【０１２８】
このような処理を行うことにより、例えば、コンセントに接続された機器の消費電力を収集・蓄積している間にコンセントが抜かれてしまった場合であっても適切な電源切替管理処理が実行できる。
【０１２９】
図２４に、消費電力収集・蓄積処理の詳細を例示する。消費電力収集・蓄積処理では、図１７に例示するコンセント情報テーブル３１５ａの各フィールドに消費電力情報を格納し、電源切替データベース３１５に格納する。まず、消費電力収集・蓄積処理では、エネルギー管理サーバ３は、切替情報データベース３１６に格納された消費電力情報テーブル３１６ｅから消費電力を収集する（Ｓ５Ｄ３１）。そして、エネルギー管理サーバ３は、電源切替データベース３１５に格納されたコンセント情報テーブル３１５ａの消費電力フィールドを更新する（Ｓ５Ｄ３２）。次に、エネルギー管理サーバ３は、収集した消費電
力値から通電時の消費電力（Pin）がシステム設定値に格納した最大値以下であることを
判断する（Ｓ５Ｄ３３）。エネルギー管理サーバ３は、通電時の消費電力（Pin）がシス
テム設定値に格納した最大値を超える場合には（Ｓ５Ｄ３３，ｎｏ）管理者端末に通知を行う（Ｓ５Ｄ３Ｄ）。例えば、通電時の消費電力（Pin）がシステム設定値に格納した最
大値を超える場合として、漏電や短絡等が想定できる。
【０１３０】
エネルギー管理サーバ３は、収集した消費電力値から通電時の消費電力（Pin）がシス
テム設定値に格納した最大値以下であると判断した場合には（Ｓ５Ｄ３３，ｙｅｓ）、初めてコンセントが挿入されたか否かを判断する（Ｓ５Ｄ３４）。例えば、コンセントの挿入は、消費電力履歴から、「０」値の有無で判断できる。エネルギー管理サーバ３は、初めてコンセントが挿入されたと判断した場合には（Ｓ５Ｄ３４，ｙｅｓ）、コンセント挿入時の消費電力を通電消費電力（ｐｉｎ）へ記録し（Ｓ５Ｄ３９）、ステップＳ５Ｄ３５に移行する。コンセント挿入時の消費電力を通電消費電力（ｐｉｎ）の記録は、コンセント情報テーブル３１５ａへのデータ格納である。初めてコンセントが挿入されたと判断しない場合には（Ｓ５Ｄ３４，ｎｏ）、収集した消費電力がｐｉｎ未満であるかを判定する（Ｓ５Ｄ３５）。エネルギー管理サーバ３は、収集した消費電力がｐｉｎ未満であると判断した場合には（Ｓ５Ｄ３５，ｙｅｓ）、通電消費電力（ｐｉｎ）を記録・更新し（Ｓ５Ｄ３Ａ）、ステップＳ５Ｄ３６に移行する。一方、エネルギー管理サーバ３は、収集した消費電力がｐｉｎ以上であると判断した場合には（Ｓ５Ｄ３５，ｎｏ）、最大消費電力発生を判定する（Ｓ５Ｄ３Ａ）。エネルギー管理サーバ３は、最大消費電力が発生したと判断した場合には（Ｓ５Ｄ３６，ｙｅｓ）、最大消費電力（ｐｍａｘ）を記録・更新し（Ｓ５Ｄ３Ｂ）、ステップＳ５Ｄ３７に移行する。一方、エネルギー管理サーバ３は、最大消費電力が発生したと判断しない場合には（Ｓ５Ｄ３６，ｎｏ）、消費電力が通電消費電力（ｐｉｎ）を超えているかを判定する（Ｓ５Ｄ３７）。エネルギー管理サーバ３は、消費電力が通電消費電力（ｐｉｎ）を超えていないと判断した場合には（Ｓ５Ｄ３７，ｎｏ）、コンセントに接続された機器が停止中と判断し、図１１に例示される、消費電力データベース３１４の消費電力蓄積情報を更新する（Ｓ５Ｄ３Ｃ）。なお、消費電力蓄積情報の更新は、収集時刻，消費電力情報と共に状態フィールドを「停止中」へ更新する。一方、エネルギー管理サーバ３は、消費電力が通電消費電力（ｐｉｎ）を超えていると判断した場合には（Ｓ５Ｄ３７，ｙｅｓ）、コンセントに接続された機器が稼働中と判断し、図１１に例示される、消費電力データベース３１４の消費電力蓄積情報を更新する（Ｓ５Ｄ３８）。なお、消費電力蓄積情報の更新は、収集時刻，消費電力情報と共に状態フィールドを「稼働中」へ更新する。
【０１３１】
図２５に、電源切替（無停電電源←→商用電源切替）処理の詳細を例示する。まず、エネルギー管理サーバ３は、切替情報データベース３１６に格納された最新の消費電力情報テーブル３１６ｅを読み込む（Ｓ５９４１）。消費電力情報は、収集時刻，コンセントＩＤ，消費電力の各フィールドを有する。そして、エネルギー管理サーバ３は、消費電力フィールドに格納された値と、電源切替データベース３１５に格納されたコンセント情報テーブル３１５ａの通電（ｐｉｎ）フィールドに格納された値との比較を行う（Ｓ５９４２）。エネルギー管理サーバ３は、最新の消費電力がコンセント情報テーブル３１５ａの通電（ｐｉｎ）フィールドに格納された値を超える場合（Ｓ５９４２、ｎｏ）は、本電源切替処理を終了する。一方、最新の消費電力がコンセント情報テーブル３１５ａの通電（ｐｉｎ）フィールドに格納された値以下である場合（Ｓ５９４２、ｙｅｓ）には、切替情報データベース３１６に格納されたシステム設定テーブル３１６ａの切替確認待ち時間フィールドで定義付された時間経過を判定する（Ｓ５９４３）。エネルギー管理サーバ３は、切替確認待ち時間フィールドで定義付された時間が経過しない場合（Ｓ５９４３、ｎｏ）は、本電源切替処理を終了する。一方、切替確認待ち時間フィールドで定義付された時間が経過した場合（Ｓ５９４３、ｙｅｓ）には、電源切替データベース３１５に含まれる接続先テーブル３１５ｂの接続先フィールドに格納された接続先情報を収集する（Ｓ５９４
４）。
【０１３２】
そして、エネルギー管理サーバ３は、コンセント情報テーブル３１５ａの切替予定フィールドに格納された電源種別情報と、接続先テーブル３１５ｂの接続先フィールドに格納された接続先情報との比較を行う（Ｓ５９４５）。エネルギー管理サーバ３は、現在の接続先が無停電電源装置であり、切替予定が商用電源であった場合には、ステップＳ５９４８に移行し、商用電源に接続する切替制御を行う。また、エネルギー管理サーバ３は、現在の接続先と、切替予定の電源種別が同一であった場合には、本電源切替処理を終了する。さらに、エネルギー管理サーバ３は、現在の接続先が商用電源であり、切替予定が無停電電源であった場合には、ステップＳ５９４６に移行し、コンセント情報テーブル３１５ａの最大消費電力（ｐｍａｘ）フィールドに格納された消費電力の比較判定を行う。最大消費電力（ｐｍａｘ）フィールドに格納された消費電力が、図１５に例示される、切替情報データベース３１６に格納された無停電電源装置許容電力情報テーブル３１６ｄの許容消費電力以上であれば、ステップＳ５９４９に移行して管理者端末へ通知する旨の表示を行う。一方、最大消費電力（ｐｍａｘ）フィールドに格納された消費電力が、無停電電源装置許容電力情報テーブル３１６ｄの許容消費電力未満である場合には、ステップＳ５９４７に移行し、無停電電源装置に接続する切替制御を行う。ステップＳ５９４８，Ｓ５９４７で接続先が切替えられた場合には、ステップＳ５９４９で管理者端末へ通知する旨の表示を行う。
【０１３３】
図２６に、バッチ処理の詳細を例示する。本バッチ処理は、システム設定テーブル３１６ａの最大時間フィールドに格納された時間経過後に実行される処理である。消費電力収集・蓄積処理で収集・蓄積された消費電力情報から、機器の稼働状況を判断するための稼働率ｒ，連続稼働時間ｔ，平均稼働ＲＡ，ＲＢ，平均連続稼働時間ＴＡを算出する。まず、エネルギー管理サーバ３は、稼働率ｒ，連続稼働時間ｔを算出するために、比較データ演算処理（個別）を実行する（Ｓ５Ｂ１）。そして、ネルギー管理サーバ３は、無停電電源が供給されているグループ（Ａグループ）における平均稼働率ＲＡ，平均連続稼働時間ＴＡを算出するために、比較データ演算処理（Ａグループ）を実行する（Ｓ５Ｂ２）。さらに、ネルギー管理サーバ３は、商用電源が供給されているグループ（Ｂグループ）における平均稼働率ＲＢを算出するために、比較データ演算処理（Ａグループ）を実行する（Ｓ５Ｂ３）。そして、コンセントに接続された機器に適切な電源を管理供給するために、電源切替（無停電電源←→商用電源）判定処理を実行する（Ｓ５Ｂ４）。
【０１３４】
比較データ演算処理（個別）では、ネルギー管理サーバ３は、システム設定テーブル３１６ａの最大時間フィールドに格納された最大時間内で収集・蓄積された消費電力情報から稼働率ｒ，連続稼働時間ｔを算出する（Ｓ５Ｂ１１）。そして、ネルギー管理サーバ３は、演算結果を電源切替データベース３１５に格納されるコンセント情報テーブル３１５ａの稼働率ｒ，連続稼働時間ｔフィールドに保存する。
【０１３５】
比較データ演算処理（Ａグループ）では、ネルギー管理サーバ３は、システム設定テーブル３１６ａの最大時間フィールドに格納された最大時間内で収集・蓄積された消費電力情報から、既に無停電電源を使用しているグループ（Ａグループ）の平均稼働率ＲＡ，平均連続稼働時間ＴＡを算出する（Ｓ５Ｂ２１）。そして、ネルギー管理サーバ３は、演算結果を電源切替データベース３１５に格納される閾値テーブル３１５ｅに保存する。
【０１３６】
比較データ演算処理（Ｂグループ）では、ネルギー管理サーバ３は、システム設定テーブル３１６ａの最大時間フィールドに格納された最大時間内で収集・蓄積された消費電力情報から、既に商用電源を使用しているグループ（Ｂグループ）の平均稼働率ＲＢを算出する（Ｓ５Ｂ３１）。そして、ネルギー管理サーバ３は、演算結果を電源切替データベース３１５に格納される閾値テーブル３１５ｅに保存する。
【０１３７】
図２７に、電源切替（無停電電源←→商用電源）判定処理の詳細を例示する。本電源切替判定処理は、バッチ処理で実行される。比較データ演算処理（個別），比較データ演算処理（Ａグループ）比較データ演算処理（Ｂグループ）で算出された稼働率ｒ，連続稼働時間ｔ，平均稼働ＲＡ，ＲＢ，平均連続稼働時間ＴＡから、コンセントに接続された機器の使用に適した電源種別（無停電電源、商用電源）を判定する。まず、エネルギー管理サーバ３は、電源切替データベース３１５に保存された、稼働率ｒ，連続稼働時間ｔ，平均稼働率ＲＡ，平均稼働率ＲＢ，平均連続稼働時間ＴＡ，の読み込みを実行する（Ｓ５Ｂ４１）。そして、エネルギー管理サーバ３は、無停電電源を使用しているＡグループの平均稼働率ＲＡと商用電源を使用しているＢグループの平均稼働率ＲＢとの比較を行う（Ｓ５Ｂ４２）。エネルギー管理サーバ３は、平均稼働率ＲＢが平均稼働率ＲＡ以上と判定された場合（Ｓ５Ｂ４２，ｎｏ）には、管理者端末へ通知する表示を行う（Ｓ５Ｂ４Ｂ）。一方、平均稼働率ＲＢが平均稼働率ＲＡ未満と判定された場合（Ｓ５Ｂ４２，ｙｅｓ）には、平均稼働率ＲＡと稼働率ｒとの比較を行う（Ｓ５Ｂ４３）。エネルギー管理サーバ３は、稼働率ｒが平均稼働率ＲＡ以上と判定した場合（Ｓ５Ｂ４３，ｙｅｓ）には、ステップＳ５Ｂ４６に移行する。一方、稼働率ｒが平均稼働率ＲＡ未満と判定された場合（Ｓ５Ｂ４３，ｎｏ）には、平均稼働率ＲＢと稼働率ｒの比較を行う（Ｓ５Ｂ４４）。エネルギー管理サーバ３は、稼働率ｒが平均稼働率ＲＢ以下と判定した場合（Ｓ５Ｂ４４，ｙｅｓ）には、ステップＳ５Ｂ４７に移行する。一方、稼働率ｒが平均稼働率ＲＢを超え、且つ、平均稼働率ＲＡ未満と判定された場合（Ｓ５Ｂ４４，ｎｏ）には、平均連続稼働時間ＴＡと連続時間ｔの比較を行う（Ｓ５Ｂ４５）。エネルギー管理サーバ３は、連続稼働時間ｔが平均連続稼働時間ＴＡ以上と判定した場合（Ｓ５Ｂ４５，ｙｅｓ）には、ステップＳ５Ｂ４６に移行する。一方、連続稼働時間ｔが平均連続稼働時間ＴＡ未満と判定した場合（Ｓ５Ｂ４５，ｎｏ）には、ステップＳ５Ｂ４７に移行する。
【０１３８】
次に、ステップＳ５Ｂ４６においてエネルギー管理サーバ３は、電源切替データベース３１５に格納されたコンセント情報テーブル３１５ａの切替予定フィールドに無停電電源フラグを付ける。また、ステップＳ５Ｂ４７においてエネルギー管理サーバ３は、電源切替データベース３１５に格納されたコンセント情報テーブル３１５ａの切替予定フィールドに商用電源フラグを付ける。そして、エネルギー管理サーバ３は、コンセント情報テーブル３１５ａの接続先フィールドに格納されている電源種別情報と切替予定フィールドに付けた電源種別フラグとを比較する（Ｓ５Ｂ４８）。エネルギー管理サーバ３は、接続先フィールドに格納されている電源種別情報が「無停電電源」であり、切替予定フィールドに付けた電源種別フラグが「無停電電源」の場合には、本電源切替判定処理を終了する。一方、接続先フィールドに格納されている電源種別情報が「商用」であり、切替予定フィールドに付けた電源種別フラグが「無停電電源」の場合には、Ｓ５Ｂ４Ａに移行する。
【０１３９】
また、エネルギー管理サーバ３は、コンセント情報テーブル３１５ａの接続先フィールドに格納されている電源種別情報と切替予定フィールドに付けた電源種別フラグとを比較する（Ｓ５Ｂ４９）。エネルギー管理サーバ３は、接続先フィールドに格納されている電源種別情報が「商用」であり、切替予定フィールドに付けた電源種別フラグが「商用」の場合には、本電源切替判定処理を終了する。一方、接続先フィールドに格納されている電源種別情報が「無停電電源」であり、切替予定フィールドに付けた電源種別フラグが「商用」の場合には、Ｓ５Ｂ４Ａに移行する。ステップＳ５Ｂ４Ａでは、エネルギー管理サーバ３は、管理者端末へ通知する表示を行う（Ｓ５Ｂ４Ｂ）。
【０１４０】
このように、例えば、電源供給先が不明なネットワーク機器の換装であっても、本電源切替管理システムによれば、コンセントに新規の機器を接続するだけで、接続機器に適した電源供給先に切替えることができる。また、従来、ネットワーク機器が接続されていた空きコンセントに不適切な機器が接続されたとしても、システム設定値で設定された最大
時間経過後にはバッチ処理による電源供給先への切替が自動的に行われるため、コンセントの誤接続による不適切な電源使用を回避することができる。従って、機器の稼働状況に適した電源切替管理技術が提供できる。
【０１４１】
＜その他＞
以上の実施形態は、さらに以下の付記と呼ぶ態様を含む。以下の各付記に含まれる構成要素は、他の付記に含まれる構成と組み合わせることができる。
【０１４２】
（付記１）
接続される機器に供給される電流または電力を検出するセンサ、および、
前記センサが検出した検出値を出力するデータ出力部、を有する複数の電源接続機器と、
前記電源接続機器に対応付けて検出値を時系列に取得する通信部、
前記検出値から前記電源接続機器に接続される機器の稼働状況を判定し、前記電源接続機器への電力供給元を電圧低下補償機能を有する第１電源と電圧低下補償機能を有しない第２電源との間で切替える切替制御部、を有する情報処理装置と、を備える接続管理システム。
【０１４３】
（付記２）
前記情報処理装置は、
前記それぞれの電源接続機器に接続される機器の稼働率を取得する手段と、
前記それぞれの電源接続機器に接続される機器の連続稼働時間を取得する手段と、
前記第１電源から電力供給を受ける電源接続機器に接続される第１グループの機器の第１平均稼働率を取得する手段と、
前記第１グループの機器の平均連続稼働時間を取得する手段と、
前記第２電源から電力供給を受ける電源接続機器に接続される第２グループの機器の第２平均稼働率を取得する手段と、をさらに有し、
前記切替制御部は、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均稼働時間以上の機器の電力供給元を前記第１電源に制御し、連続稼働時間が前記平均連続稼働時間未満の機器への電力供給元を第２電源に制御する付記１に記載の接続管理システム。
【０１４４】
（付記３）
前記情報処理装置は、前記電源接続機器に接続される機器への電力供給の開始を検知する手段をさらに有し、
前記切替制御部は、前記機器が前記電源接続機器に接続された後の所定時間が経過するまで間は、前記機器への電力供給元を第２電源に制御する付記２に記載の接続管理システム。
【０１４５】
（付記４）
前記電源接続機器に接続される機器への電力供給の遮断を検知する手段をさらに備え、
前記切替制御部は、前記遮断が検知された機器については、次に電力供給の開始が検知された後の期間に対して前記稼働率と前記連続稼働時間とを取得する付記２または３に記載の接続管理システム。
【０１４６】
（付記５）
電源接続機器に対応付けて検出値を時系列に取得する通信部と、
前記検出値から前記電源接続機器に接続される機器の稼働状況を判定し、前記電源接続
機器への電力供給元を電圧低下補償機能を有する第１電源と電圧低下補償機能を有しない第２電源との間で切替える切替制御部と、を有する情報処理装置。
【０１４７】
（付記６）
前記それぞれの電源接続機器に接続される機器の稼働率を取得する手段と、
前記それぞれの電源接続機器に接続される機器の連続稼働時間を取得する手段と、
前記第１電源から電力供給を受ける電源接続機器に接続される第１グループの機器の第１平均稼働率を取得する手段と、
前記第１グループの機器の平均連続稼働時間を取得する手段と、
前記第２電源から電力供給を受ける電源接続機器に接続される第２グループの機器の第２平均稼働率を取得する手段と、さらに有し、
前記切替制御部は、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均稼働時間以上の機器の電力供給元を前記第１電源に制御し、連続稼働時間が前記平均連続稼働時間未満の機器への電力供給元を第２電源に制御する付記５に記載の情報処理装置。
【０１４８】
（付記７）
前記電源接続機器に接続される機器への電力供給の開始を検知する手段をさらに有し、
前記切替制御部は、前記機器が前記電源接続機器に接続された後の所定時間が経過するまで間は、前記機器への電力供給元を第２電源に制御する付記６に記載の情報処理装置。
【０１４９】
（付記８）
前記電源接続機器に接続される機器への電力供給の遮断を検知する手段をさらに備え、
前記切替制御部は、前記遮断が検知された機器については、次に電力供給の開始が検知された後の期間に対して前記稼働率と前記連続稼働時間とを取得する付記６または７に記載の情報処理装置。
【０１５０】
（付記９）
コンピュータが、電源接続機器に対応付けて検出値を時系列に取得するステップと、
前記検出値から前記電源接続機器に接続される機器の稼働状況を判定し、前記電源接続機器への電力供給元を電圧低下補償機能を有する第１電源と電圧低下補償機能を有しない第２電源との間で切替える切替制御ステップと、を実行する情報処理方法。
【０１５１】
（付記１０）
前記それぞれの電源接続機器に接続される機器の稼働率を取得するステップと、
前記それぞれの電源接続機器に接続される機器の連続稼働時間を取得するステップと、
前記第１電源から電力供給を受ける電源接続機器に接続される第１グループの機器の第１平均稼働率を取得するステップと、
前記第１グループの機器の平均連続稼働時間を取得するステップと、
前記第２電源から電力供給を受ける電源接続機器に接続される第２グループの機器の第２平均稼働率を取得するステップと、さらに実行し
前記切替制御ステップでは、前記コンピュータは、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均稼働時間以上の機器の電力供給元を前記第１電源に制御し、連続稼働時間が前記平均連続稼働時間未満の機器への電力供給元を第２電源に制御する付記９に記載の情報処理方法。
【０１５２】
（付記１１）
前記電源接続機器に接続される機器への電力供給の開始を検知するステップをさらに実行し、
前記切替制御ステップでは、前記コンピュータは、前記機器が前記電源接続機器に接続された後の所定時間が経過するまで間は、前記機器への電力供給元を第２電源に制御する付記１０に記載の情報処理方法。
【０１５３】
（付記１２）
前記電源接続機器に接続される機器への電力供給の遮断を検知するステップをさらに実行し、
前記切替制御ステップでは、前記コンピュータは、前記遮断が検知された機器については、次に電力供給の開始が検知された後の期間に対して前記稼働率と前記連続稼働時間とを取得する付記１０または１１に記載の情報処理方法。
【０１５４】
（付記１３）
コンピュータに、電源接続機器に対応付けて検出値を時系列に取得するステップと、
前記検出値から前記電源接続機器に接続される機器の稼働状況を判定し、前記電源接続機器への電力供給元を電圧低下補償機能を有する第１電源と電圧低下補償機能を有しない第２電源との間で切替える切替制御ステップと、を実行させるためのプログラム。
【０１５５】
（付記１４）
前記それぞれの電源接続機器に接続される機器の稼働率を取得するステップと、
前記それぞれの電源接続機器に接続される機器の連続稼働時間を取得するステップと、
前記第１電源から電力供給を受ける電源接続機器に接続される第１グループの機器の第１平均稼働率を取得するステップと、
前記第１グループの機器の平均連続稼働時間を取得するステップと、
前記第２電源から電力供給を受ける電源接続機器に接続される第２グループの機器の第２平均稼働率を取得するステップと、さらに実行させ
前記切替制御ステップでは、前記コンピュータに、稼働率が前記第１平均稼働率以上の機器への電力供給元を第１電源に制御し、稼働率が前記第２平均稼働率未満の機器への電力供給元を第２電源に制御し、稼働率が第１平均稼働率と第２平均稼働率の間の機器については、連続稼働時間が前記平均稼働時間以上の機器の電力供給元を前記第１電源に制御し、連続稼働時間が前記平均連続稼働時間未満の機器への電力供給元を第２電源に制御させるための付記１３に記載のプログラム。
【０１５６】
（付記１５）
前記電源接続機器に接続される機器への電力供給の開始を検知するステップをさらに実行させ、
前記切替制御ステップでは、前記コンピュータに、前記機器が前記電源接続機器に接続された後の所定時間が経過するまで間は、前記機器への電力供給元を第２電源に制御させるための付記１４に記載のプログラム。
【０１５７】
（付記１６）
前記電源接続機器に接続される機器への電力供給の遮断を検知するステップをさらに実行させ、
前記切替制御ステップでは、前記コンピュータに、前記遮断が検知された機器については、次に電力供給の開始が検知された後の期間に対して前記稼働率と前記連続稼働時間とを取得させるための付記１４または１５に記載のプログラム。
【０１５８】
（付記１７）
複数のプラグ接続部、
前記複数のプラグ接続部のそれぞれに供給される電流または電力を検出する複数のセンサ、および、
前記複数のセンサのそれぞれが検出した検出値を前記複数のプラグ接続部に対応付けて出力するデータ出力部、を有する電源接続機器と、
前記複数のプラグ接続部に対応付けた検出値を時系列に取得する通信部、
前記それぞれの電源接続機器に含まれる複数のプラグ接続部のうちの第１プラグ接続部に対応付けて時系列に取得した検出値から前後する検出値を比較し、前記複数電源接続機器に接続された機器の稼働状態を検出する手段と、
前記電源接続機器に接続される機器の稼働状況を判定し、前記電源接続機器に供給される電源種別を前記稼働状況応じて切替える切替制御部を有する情報処理装置と、を備える接続管理システム。
【０１５９】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１６０】
ここで、コンピュータ等が読み取り可能な記録媒体とは、データやプログラム等の情報
を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【０１６１】
１  電源接続機器
２  中継器
３  エネルギー管理サーバ
３０１  電源接続機器設定部
３０２  電力計測部
３０３  接続機器判定部
３０４  消費電力判定部
３０５  電源切替制御部
３１１  電源接続機器データベース
３１２  電力値データベース
３１３  接続機器データベース
３１４  消費電力データベース
３１５  電源切替データベース
３１６  切替情報データベース
【図１】
0005774326.tif 000002
【図２】
0005774326.tif 000003
【図３】
0005774326.tif 000004
【図４】
0005774326.tif 000005
【図５】
0005774326.tif 000006
【図６】
0005774326.tif 000007
【図７】
0005774326.tif 000008
【図８】
0005774326.tif 000009
【図９】
0005774326.tif 000010
【図１０】
0005774326.tif 000011
【図１１】
0005774326.tif 000012
【図１２】
0005774326.tif 000013
【図１３Ａ】
0005774326.tif 000014
【図１３Ｂ】
0005774326.tif 000015
【図１４】
0005774326.tif 000016
【図１５】
0005774326.tif 000017
【図１６】
0005774326.tif 000018
【図１７】
0005774326.tif 000019
【図１８】
0005774326.tif 000020
【図１９】
0005774326.tif 000021
【図２０】
0005774326.tif 000022
【図２１】
0005774326.tif 000023
【図２２】
0005774326.tif 000024
【図２３】
0005774326.tif 000025
【図２４】
0005774326.tif 000026
【図２５】
0005774326.tif 000027
【図２６】
0005774326.tif 000028
【図２７】
0005774326.tif 000029